(57)【特許請求の範囲】
【請求項１】
ディスプレイデバイスと、
処理リソースとを備え、
前記処理リソースは、少なくとも１つのハードウェアプロセッサと、前記少なくとも１つのハードウェアプロセッサに接続されるメモリとを含み、
前記処理リソースは、ユーザインターフェースを前記ディスプレイデバイスに少なくとも出力するよう、デジタルジュークボックス装置を制御するように構成され、
前記ユーザインターフェースは、検索画面を提示するように構成され、該検索画面は、少なくとも、
再生に対する支払いに基づいて、前記デジタルジュークボックス装置を介して再生可能な楽曲を検索する際に、ユーザが検索条件を入力することを可能にし、
前記検索画面上に同時に表示される複数の制御要素により、（１）アーティストのみの検索結果モード、（２）楽曲のみの検索結果モード、および、（３）アーティストおよび楽曲の検索結果モードを含む表示モードの各々をユーザが選択することを可能にし、
前記検索条件の文字が入力されるたびに、リアルタイムに検索結果を繰り返し自己で更新し、
当該検索結果は、選択された表示モードに従って適応的に、（Ａ）互いに異なっているが、ディスプレイデバイスの同一画面上に同時に表示される、現在の検索条件に合致する楽曲を含む楽曲ベースの検索結果のみを含んでいる第１の軸、および、前記現在の検索条件に合致するアーティストを含むアーティストベースの検索結果のみを含んでいる第２の軸に沿って配置される、または、（Ｂ）前記楽曲ベースの検索結果または前記アーティストベースの検索結果のための、前記ディスプレイデバイスの画面上の複数の行に配置される、デジタルジュークボックス装置。
【請求項２】
前記検索結果は、項目がそれぞれの軸に沿うように表示され、前記軸のそれぞれは、各項目が一度に表示できない場合に、それぞれの軸に沿って配置されたすべての項目を表示させるために、個別にスクロール可能である、請求項１に記載のデジタルジュークボックス装置。
【請求項３】
１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させる、請求項２に記載のデジタルジュークボックス装置。
【請求項４】
１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させ、この時点での、１つまたは両方の前記軸から項目を取り除くことを引き起こす前記検索画面のさらなる自己更新は、それぞれの１つまたは複数の前記軸のサイズをさらに縮小することのトリガとはならない、請求項２に記載のデジタルジュークボックス装置。
【請求項５】
１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させ、この時点での、１つまたは両方の前記軸から項目を取り除くことを引き起こす前記検索画面のさらなる自己更新は、それぞれの前記軸に沿って配置されている残りの項目を残したままにする、請求項２に記載のデジタルジュークボックス装置。
【請求項６】
（ａ）１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させ、（ｂ）この時点での、１つまたは両方の前記軸から項目を取り除くことを引き起こす前記検索画面のさらなる自己更新は、それぞれの１つまたは複数の前記軸のサイズをさらに縮小することのトリガとはならないが、ただし、（ｃ）１つまたは両方の前記軸から項目を取り除くことを引き起こす前記検索画面のさらなる別の自己更新が、それぞれの１つまたは複数の前記軸の項目数を所定閾値以下に減らし、この時点で残っている項目が、それぞれの１つまたは複数の前記軸に沿って再度体系化される場合は前記トリガとなり得る、請求項２に記載のデジタルジュークボックス装置。
【請求項７】
前記項目のそれぞれは、前記軸のそれぞれに沿って、アルファベット順に並べられる、請求項２から６のいずれか１項に記載のデジタルジュークボックス装置。
【請求項８】
販売促進対象としてのフラグが付与されている結果に対応する項目は、その他の項目よりも優先して並べられる、請求項２から７のいずれか１項に記載のデジタルジュークボックス装置。
【請求項９】
所定のエリア内で人気があるとしてフラグが付与されている結果に対応する項目は、その他の項目よりも優先して並べられる、請求項２から７のいずれか１項に記載のデジタルジュークボックス装置。
【請求項１０】
販売促進対象としてのフラグが付与されている結果に対応する項目、および、所定のエリア内で人気があるとしてフラグが付与されている結果に対応する項目は、その他の項目よりも優先して並べられる、請求項２から７のいずれか１項に記載のデジタルジュークボックス装置。
【請求項１１】
前記項目は、ユーザが選択可能なタイルとして体系化される、請求項２から１０のいずれか１項に記載のデジタルジュークボックス装置。
【請求項１２】
前記タイルは、該タイルに関連付けられている画像を有し、該画像は、非アルバム作品関連画像である、請求項１１に記載のデジタルジュークボックス装置。
【請求項１３】
デジタルジュークボックス装置を動作させる方法であって、該方法は、
前記デジタルジュークボックス装置のディスプレイデバイスを介して、ユーザインターフェースを表示するステップと、
検索画面を提示するステップであって、前記ユーザインターフェースに関連して、前記デジタルジュークボックス装置を介して再生に対する支払いに基づいて再生可能な楽曲を検索する際の検索条件をユーザが入力すること、および、前記検索画面上に同時に表示される複数の制御要素により、（１）アーティストのみの検索結果モード、（２）楽曲のみの検索結果モード、および、（３）アーティストおよび楽曲の検索結果モードを含む表示モードの各々をユーザが選択することを少なくとも可能にする、当該提示するステップと、
前記検索画面に、前記検索条件の文字がそれぞれ入力されるたびに、リアルタイムに検索結果を繰り返し自己更新させるステップであって、当該自己更新させるステップにおいて、前記検索結果は、選択された表示モードに従って適応的に、（Ａ）互いに異なっているが、ディスプレイデバイスの同一画面上に同時に表示される、現在の検索条件に合致する楽曲を含む楽曲ベースの検索結果のみを含んでいる第１の軸、および、前記現在の検索条件に合致するアーティストを含むアーティストベースの検索結果のみを含んでいる第２の軸に沿って配置される、または、（Ｂ）前記楽曲ベースの検索結果または前記アーティストベースの検索結果のための、前記ディスプレイデバイスの画面上の複数の行に配置される、当該自己更新させるステップと、
検索結果項目のユーザによる選択を可能にするステップと、
再生に対する支払いに基づいて、前記デジタルジュークボックス装置を用いて、選択された楽曲を再生するステップとを含み、
前記デジタルジュークボックス装置は、少なくとも１つのハードウェアプロセッサと、前記少なくとも１つのハードウェアプロセッサに接続されるメモリとを含む、処理リソースを備え、
前記処理リソースは、前記表示するステップ、前記提示するステップ、前記自己更新させるステップ、前記可能にするステップ、および、前記選択された楽曲を再生するステップの実施を進めるように構成されている、方法。
【請求項１４】
項目がそれぞれの軸に沿うように検索結果を表示するステップをさらに含み、
前記軸のそれぞれは、各項目が一度に表示できない場合に、それぞれの軸に沿って配置されたすべての項目を表示させるために、個別にスクロール可能である、請求項１３に記載の方法。
【請求項１５】
１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させる、請求項１４に記載の方法。
【請求項１６】
１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させ、この時点での、１つまたは両方の前記軸から項目を取り除くことを引き起こす前記検索画面のさらなる自己更新は、それぞれの１つまたは複数の前記軸のサイズをさらに縮小することのトリガとはならない、請求項１４に記載の方法。
【請求項１７】
１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させ、この時点での、１つまたは両方の前記軸から項目を取り除くことを引き起こす前記検索画面のさらなる自己更新は、それぞれの前記軸に沿って配置されている残りの項目を残したままにする、請求項１４に記載の方法。
【請求項１８】
（ａ）１つまたは両方の前記軸から項目を取り除くことを引き起こす前記検索画面の自己更新は、次に、すべての項目をスクロール不要なように単一の画面に表示できるまで、それぞれの１つまたは複数の前記軸のサイズを縮小させ、（ｂ）この時点での、１つまたは両方の前記軸から項目を取り除くことを引き起こす前記検索画面のさらなる自己更新は、それぞれの１つまたは複数の前記軸のサイズをさらに縮小することのトリガとはならないが、ただし、（ｃ）１つまたは両方の前記軸から項目を取り除くことを引き起こす前記検索画面のさらなる別の自己更新が、それぞれの１つまたは複数の前記軸の項目数を所定閾値以下に減らし、この時点で残っている項目が、それぞれの１つまたは複数の前記軸に沿って再度体系化される場合は前記トリガとなり得る、請求項１４に記載の方法。
【請求項１９】
前記項目のそれぞれを、前記軸のそれぞれに沿って、アルファベット順に並べるステップをさらに含む、請求項１４から１８のいずれか１項に記載の方法。
【請求項２０】
販売促進対象としてのフラグが付与されている結果に対応する項目が、その他の項目よりも優先して並べられるように、当該項目を並べるステップをさらに含む、請求項１４から１８のいずれか１項に記載の方法。
【請求項２１】
所定のエリア内で人気があるとしてフラグが付与されている結果に対応する項目が、その他の項目よりも優先して並べられるように、当該項目を並べるステップをさらに含む、請求項１４から１８のいずれか１項に記載の方法。
【請求項２２】
販売促進対象としてのフラグが付与されている結果に対応する項目、および、所定のエリア内で人気があるとしてフラグが付与されている結果に対応する項目が、その他の項目よりも優先して並べられるように、当該項目を並べるステップをさらに含む、請求項１４から１８のいずれか１項に記載の方法。
【請求項２３】
前記項目は、ユーザが選択可能なタイルとして体系化される、請求項１４から２２のいずれか１項に記載の方法。
【請求項２４】
前記タイルは、該タイルに関連付けられている画像を有し、該画像は、非アルバム作品関連画像である、請求項２３に記載の方法。
【発明の詳細な説明】
【技術分野】
【０００１】
〔関連文献の相互参照〕
本出願は、米国特許出願第６１／９７０，３３８号（２０１４年３月２５日出願）に基づく優先権主張を伴う。その全内容は、参照により本明細書に組み込まれるものとする。
【０００２】
また、本出願には、米国特許出願第６１／９２０，６８８号、および、第２９／４７７，６５４号（ともに２０１３年１２月２４日出願）の全内容が参照により組み込まれるものとする。
【０００３】
また、本出願には、米国特許出願第１３／８３３，１７３（２０１３年３月１５日出願）の全内容が参照により組み込まれるものとする。米国特許出願第１３／８３３，１７３は、米国特許出願第１３／６２１，９２２（２０１２年９月１８日出願）の一部継続出願（ＣＩＰ；a continuation-in-part）である。米国特許出願第１３／６２１，９２２は、米国特許仮出願第６１／５８４，７５０（２０１２年１月９日出願）、および、米国特許仮出願第６１／５３６，０１５（２０１１年９月１８日出願）に基づく優先権主張を伴う。
【０００４】
また、本出願には、米国特許出願第１３／１３８，６６０（２０１２年３月５日出願）の全内容が参照により組み込まれるものとする。米国特許出願第１３／１３８，６６０は、国際出願第ＰＣＴ／ＵＳ２０１０／０００７９９号（２０１０年３月１７日出願）の国内移行出願である。国際出願第ＰＣＴ／ＵＳ２０１０／０００７９９号は、米国特許仮出願第６１／２０２，６１７（２００９年３月１８日出願）に基づく優先権主張を伴う。
【０００５】
また、本出願には、米国特許出願第１２／９２９，４６６（２０１１年１月２６日出願）の全内容が参照により組み込まれるものとする。米国特許出願第１２／９２９，４６６は、米国特許仮出願第６１／４３１，０３６（２０１１年１月９日出願）、および、米国特許仮出願第６１／２９８，５０９（２０１０年１月２６日出願）に基づく優先権主張を伴う。
【０００６】
〔技術分野〕
ある典型的な実施形態は、エンターテイメントシステムに関し、特に、ある典型的な実施形態は、デジタルダウンロードジュークボックスの機能と、改善されたユーザインターフェースとを備えたジュークボックスシステムに関する。
【背景技術】
【０００７】
ジュークボックスは、約数十年の間存在しており、ユーザが便利且つ好適な方法で再生したい所望の音楽を選択できるようにしている。ジュークボックスは、従来から、レストランやバーといった商業施設内に設けられており、これにより、顧客の所望する音楽を顧客に有料で提供してきた。最近数年では、新世代のジュークボックス装置が利用可能になっている。新世代のジュークボックス装置は、すべての参加者に対して、操作上の大きな改善をもたらしている。より具体的には、従来のスタンドアロンのレコード盤およびＣＤのジュークボックスは、中央サーバと通信を行い、中央サーバによって制御を受けるデジタルダウンロードジュークボックスに置き換えられてきている。この新世代のジュークボックスシステムの一例が米国特許第６，３０８，２０４号に示されており、その全開示内容が参照により本明細書に組み込まれる。この新世代のジュークボックスシステムのリーディングプロバイダーがタッチチューンズミュージックコーポレーションである。
【０００８】
図１は、デジタルダウンロードジュークボックスシステム１０の典型的な実施形態の概要を示している。図１に示すように、ジュークボックスシステム１０は、中央サーバ１２を含んでいる。中央サーバ１２は、オーディオコンテンツ（典型的には「音楽」）およびオーディオビジュアルコンテンツ（典型的には「音楽および関連する映像またはグラフィック」）の少なくともいずれかのコンテンツのマスターライブラリを含んでおり、コンテンツは中央サーバ１２からダウンロード可能になっている。ジュークボックスシステムは、さらに、一連のリモートジュークボックス装置１６、１６ａ〜１６ｆを含んでいる。これらのジュークボックス装置の各々は、一般的に、バー、レストラン、クラブまたはその他の所望の店舗に設置されている。各ジュークボックス装置は、ユーザからコイン、紙幣、クレジットカード／デビットカード等で支払いを受け、さらに、ユーザによって再生する楽曲が１曲または複数曲選択されたことに応答して、具体的には、適切な記憶場所（例えば、ローカルサーバ、場合によっては遠隔地にある中央サーバ、内蔵記憶装置など）から読み出した音楽を再生するように動作する。別の実施形態では、店舗によって音楽サービスの代金が会費ベースで支払われ、選択された音楽はエンドユーザに無料で提供される。ジュークボックス装置１６は、典型的に、スクリーン１８とオーディオシステム２０とを備えている。スクリーン１８は、ユーザに情報を提示し、ユーザが音楽を選択できるようにする。オーディオシステム２０は、選択された音楽を再生する。また、スクリーン１８は、音楽に関連する映像またはグラフィックを表示するために使用されてもよい。また、スクリーン１８は、顧客を惹きつけるためのジュークボックス自体の広告、他の種類の広告および／またはその他の所望の情報を表示するために使用されてもよい。
【０００９】
ジュークボックス装置１６（本明細書では単に「ジュークボックス」と呼称することもある）は、例えばインターネットのような通信ネットワーク１４を通じて、中央サーバ１２と通信するように動作する。ジュークボックス装置１６は、ジュークボックスで再生された特定の楽曲に関する情報をサーバ１２に提供するために、サーバ１２と定期的な通信を行う。中央サーバは、この情報を用いて、各ジュークボックスで再生された楽曲に対して支払われるべき適切なロイヤリティおよび／またはその他の代金を決定する。このように、この新世代のジュークボックスには、音楽の再生および／または他の適用可能な音楽の権利が、より正確で信頼性のある方法によって守られ、それにより、適切なロイヤリティがアーティストや楽曲の所有者に支払われることが保証されるという利点がある。また、中央サーバ１２は、店舗内の特定の顧客に応じた適切な、または、最も人気のある楽曲がジュークボックス内に維持されるように、新しい楽曲をジュークボックス１６に提供する。このように、各ジュークボックスの店舗で顧客が一般的にリクエストする楽曲のタイプおよび／または音楽を提供できるように、各ジュークボックスで利用可能な楽曲は中央サーバとの通信を通じてカスタマイズ可能である。上述の米国特許第６，３０８，２０４号に記載されているように、中央サーバは、好適には、例えば、新しい機能または改善された機能を提供するような、ジュークボックスの動作を変更する目的で、ジュークボックス上で動作するソフトウェアを更新するために使用することもできる。したがって、この新世代のジュークボックスには、販売人等に直接ジュークボックスを保守してもらうことを必要とせずに、楽曲（または、その他のオーディオおよび／またはビジュアルコンテンツ）およびジュークボックス自体の動作を望むままにリモートから変更することができるという別の利点がある。代わりに、中央サーバ１２を用いてそのような更新を行うことができる。
【００１０】
上述したように、各ジュークボックス装置１６は、ハードドライブのようなマスストレージ装置を備えており、マスストレージ装置には、楽曲、および、関連する映像／グラフィックデータ（もしあれば）に加えて、ジュークボックスで再生する任意の所望するグラフィック情報が格納されている。ジュークボックスのマスストレージ装置は、一般的に、中央サーバ１２のストレージ装置に比べて、記憶容量が限られている。そのため、一般的には、ジュークボックスのマスストレージ装置には、任意の時点において、中央サーバ１２に格納されている楽曲群の一部分のみが格納されている。その上、ジュークボックスの記憶容量を制限し、且つ／あるいは、ジュークボックスに格納される楽曲の数を制限するのには、データのセキュリティ、または、ジュークボックス自体の空間的な余裕が限られていること等といった他の理由があり得る。例えば、自立型のモデルに比べてサイズが小さく設計される壁掛けジュークボックスなどは、物理的な空間が制限され得る。上記で説明したように、ジュークボックスの楽曲は中央サーバとの通信を通じて変更可能であるが、一般的には、どのジュークボックスも、任意の時点において、中央サーバに保持されている楽曲の完全なライブラリの比較的小さい一部の集合だけを格納している。
【００１１】
ジュークボックスが生み出す収入を増やすためには、最も望まれる楽曲群をジュークボックス上で長い間利用可能にしておくことが重要である。顧客がジュークボックスで好みの楽曲を見つけることができないと、ジュークボックスの稼働率（およびこれによって生み出される利益）は著しく低下する。その一方で、あらゆる特定の店舗において顧客がジュークボックスで再生を所望する楽曲を前もって正確に予測することは不可能である。実際、顧客が、その時点でジュークボックスには存在しないが中央サーバには存在する楽曲を選択したような例が多くあるように見受けられる。そのため、ジュークボックスは、最大限に満喫されず、使用されない可能性がある。この問題に対処してジュークボックスの収入を増やすために、従来のジュークボックスシステムは、ユーザが、ジュークボックスから中央サーバの楽曲を検索し、追加料金で、中央サーバからジュークボックスに所望の楽曲を即時ダウンロードするよう要求することを可能にする機能を提供してきた。この機能により、ユーザは、特定の楽曲がジュークボックス自体のマスストレージに現在格納されているか否かに関わらず、中央サーバに保持されている楽曲のマスターライブラリに含まれる任意の楽曲をジュークボックスを用いて再生することができる。したがって、ユーザは、（場合によって、スクリーンに表示された中央サーバ検索機能ボタンを選択することなどによってアクセスできる検索機能に接続して、）最初にジュークボックスのローカルストレージにおいて所望の楽曲を探すことができ、それから、望むのであれば、さらに中央サーバにおいて所望の楽曲を探すことができる。一般的に、ジュークボックス装置は、ジュークボックスのローカルストレージから直接、標準的な再生を行うのとは対照的に、中央サーバから楽曲を即時ダウンロードして再生することに対して追加料金（１クレジットに代えて５クレジットのように）を課金する。
【発明の概要】
【発明が解決しようとする課題】
【００１２】
上記から明確に理解できるように、「従来の知恵」は、収入最大化への試みであって、ジュークボックスを介してますます多くのメディアのオファーまたは楽曲を提供することによる幅広い魅力の保証である。換言すれば、従来の知恵および業界の考えは、ジュークボックスを介してできるだけ多くのメディアのオファーまたは楽曲を入手可能にすることで、ジュークボックスがあらゆる場所において適切になるようにすることである。上記の理論は、できるだけ多くのオファーを有する単一、標準的なジュークボックスを開発することは、各々が限定されたメディアコンテンツの異なる集合を入手可能な複数の異なるジュークボックスを提供することよりも、より簡単であるという共通の理解に部分的に基づいている。この共通の理解は、同様に、従来の非デジタルジュークボックスがいくつかの限定されたレパートリーを明らかに有しており、多くの初期のデジタルジュークボックスでさえも、ライセンス供与や支払いの要件、ダウンロード速度などにより、まだ限定されていたレパートリーを拡大してきたという事実に起源を持つ可能性がある。
【００１３】
本出願の発明者は、近年、従来の知恵はもはや完全には正確でなく、基礎をなす仮定にいくらか不備があるということを発見してきた。例えば、本出願の発明者は、近年、多くの例において、より多くのメディアのオファーの提供が必ずしも望まれてはいないということを発見してきた。この発見は、より多くのオファーを提供することは、顧客が、店舗の自然性（authenticity）または独自性と矛盾する音楽を再生するための多くの機会を提供することを意味するという発明者の認識に、部分的に基づいている。例えば、「バイカー・バー」の自然性および独自性は、顧客がポップスまたは「ローティーンの女の子」の音楽とみなされるものを再生しようとした場合に大幅に弱体化し、同じように、カントリーラインダンスの会場は、ヒップホップおよびリズムおよびブルースの楽曲が再生された場合、弱体化した自然性および独自性を有し得る。本出願の発明者は、これらの異なる理由のために、店舗のジュークボックスを提供することの難しさを経験してきている。驚いたことに、かつ、予想外に、発明者の経験は、楽曲を除く音楽、ジャンル、および／またはそれらと同等のものを選択的に「フィルター」する能力は、しばしば、店舗の所有者に容認されず、不完全で、および／または、他に望ましくないように見られるという証拠を提供している。
【００１４】
再生中の実際のメディアは別として、またはそれに加えて、本出願の発明者は、また、実用的なジュークボックスの外見は、ときどき望まれていないということを発見してきた。実際に、本出願の発明者は、ジュークボックスまたはジュークボックス端末の外見は、望まれていないということを発見してきており、この理由は、単に、装置自身がジュークボックスに見えるためである（例えば、支払受け入れ、タッチスクリーンディスプレイを有しており、それは「アトラクトモード」で選択的に動作し、フラッシュおよび／または他の変化するネオン光などを含む）。おそらく関係する問題として、本出願の発明者は、ジュークボックスまたはジュークボックス端末で表示されるコンテンツは、望まれていないとみなされている可能性があるということもまた発見してきた。上記のように、ジュークボックス装置の外見および／またはジュークボックス装置に表示されるコンテンツは、店舗の自然性または独自性を弱体化させる恐れがある。恐らくより具体的な例として、本出願の発明者によって、いわゆる「ウルトララウンジ」が、一般的に、従来のジュークボックスの外観の方向への否定的な反応を示すということが観察されてきた。もう１つの例として、本出願の発明者は、与えられた店舗において誤った種類の広告および／またはメディアが表示される可能性があるということを発見してきた。例えば、ウルトララウンジは、型どおりに、アルバムアート、コンサート広告などに比べ、流行の衣服およびアクセサリーを着用している魅力的な男性および女性を表示するのがより望ましく、本物であると考えられる。
【００１５】
さらに、本出願の発明者がしてきたもう１つの発見は、一般的に人々が音楽（楽曲、アーティストなどを含む）を発見する従来の方法が、流行遅れになっているということである。ＭＴＶなどのようなミュージックテレビジョンステーションを鑑賞すること、ラジオを聴くこと、または、広告に注意を払うことに加え、またはむしろ、潜在的な顧客は、新しく異なる方法で音楽を発見している。顧客がジュークボックス装置で音楽を閲覧または検索ができるユーザインターフェースは、一般的に、アーティスト名、曲名、アルバム、および／またはそれらと同等のものに基づく、閲覧および／または検索を可能にする。しかしながらそのような技術は、必ずしも、顧客が新しいかまたは異なる音楽にさらされるという結果にはならず、さらに、音楽の発見のためのもう１つの従来の技術である。本出願の発明者は、今日の潜在的な顧客は、しばしば、非伝統的なソーシャルネットワーキングアウトレットを通して、および／または、インターネットで生成された純粋な「騒音（ｂｕｚｚ）」を通して、または、そのようなソーシャルネットワーキングアウトレットを通して発見された音楽に対し、より興味があるということを理解してきた。
【００１６】
上記の発見および理解を前提として、ジュークボックス装置のさらなる改善が可能であるということが十分に理解される。また、いくつかまたは全てのそのような改善が、受け入れられた知恵および／または業界の標準的な慣習に反するということも十分に理解される。店舗の自然性および／または独自性の保存を試みるとき、より限定された選択を提供することが、人々により実際により望ましいとみなされるということを発明者は理解してきたけれども、従来の考えのレンズを通して見たとき、例えば、より限定されたメディアの選択を提供することは、恐らく、「後退」と見られる。もう１つの例として、従来ジュークボックス装置は、いくつかの「古典的設計」の１つを有するとみなされてきており、デジタルジュークボックス装置は、そのような古典的設計の「更新版」として設計されてきた。一方で、発明者は、恐らくジュークボックスが、みなされてきたほどは実用的でなく、または、至る所にあるわけではないということを理解してきた。さらに、従来の閲覧および／または検索技術が更新および／または交換され得るということが十分に理解される。例えば、潜在的な顧客が音楽を発見し、経験するより新しい方法を反映するように。
【課題を解決するための手段】
【００１７】
一般に、ある典型的な実施形態は、ユーザを相互作用するジュークボックスの世界に没頭させることを支援する革新的なユーザインターフェースの含有に関する。その世界では、ユーザインターフェースの要素が、メディアのインスタンスのコレクション、同期された外部および／または内部のライトショーのフィードバックおよび／または投影、再生行列の提示および／または操作、要素のぼかし／焦点合わせ、同期された歌詞の表示などとの多次元の相互作用を提供することを支援する。また、ここに記述されたある典型的な実施形態は、例えば、アーティストおよび／または顧客の類似が用いられるか、またはジュークボックスのインターフェース、の中に組み込むことを可能にすることを支援できるカメラおよび／またはＬＥＤを含む。カメラは、アトラクトまたはフライトモードで活用されるか、または、鏡としての機能を果たし、照明要素は、カメラのフラッシュとして用いられ、ＬＥＤは、タッチスクリーンディスプレイにおける感触の良いフィードバックまたは顧客の歓迎表示メッセージをシミュレートし、ジュークボックスベースのセキュリティシステムを提供し、状況の広告を適用したりする。ある典型的な実施形態において、セットリストおよび／または向上したコレクション型の閲覧のように、適応できる自動補完検索の推薦が提供されてもよい。
【００１８】
ある典型的な実施形態によれば、このようなユーザインターフェースを備えているジュークボックス装置、および／または、このようなジュークボックス装置を含むシステムが提供される。同様に、ある典型的な実施形態によれば、一時的でないコンピュータ読み取り可能な記録媒体は、実行された場合にここに開示される方法を実現できるプログラムを、明白に格納してもよい。
【００１９】
ある典型的な実施形態は、プロフィールおよびタイルアプローチ（具体例は、以下に詳細に説明する）を用いる。本アプローチは、音楽再生システムにおいてよく用いられているカタログベースアプローチと比較して、よりダイナミックかつカスタマイズ可能である。ある典型的な実施形態における本アプローチは、有利である。なぜなら、カタログは、潜在的な顧客を、非常に多くの選択肢という形態で、多量の情報に触れさせることが分かっているからである。上記形態では、大多数の楽曲において、再生される可能性は非常に低い。人気度に基づいてソートする技術を提供することが考えられるが、潜在的な顧客は、その楽曲が人気度リストのどこにあるのかを知らない可能性がある。あるいは、その楽曲が人気度リストに全くランクインしていない可能性もある。したがって、潜在的な顧客は、使うのに嫌気がさすような、非常に長いアルファベットのリストに戻ってしまう可能性がある。ある典型的な実施形態は、クラウドベースの音楽商品プロフィール関連アプローチを実現する。本アプローチは、音楽リストから、潜在的な顧客がより興味を持ちそうな楽曲へと効率的に絞り込む。換言すれば、ある典型的な実施形態は、カタログと、実際に商品化された楽曲とを切り離す。
【００２０】
ある典型的な実施形態において、プロフィールなどにおけるプレイリストは、販売促進の対象となっているある程度の数または割合の楽曲と、ネットワーク上で広く気に入られている、プロフィールに合った楽曲と、現場のジュークボックス内で人気の、プロフィールに合った楽曲とによって、数が多くなる。例えば、提供者の楽曲部門が、ロックのジャンルのプレイリストの５％の出品物を販売促進対象に選ぶと、そのリストの３０％の出品物は、ネットワーク上で広く気に入られたロック楽曲である可能性があり、その残りの出品物は、現場のジュークボックス内で人気のロックである可能性がある。したがって、ある典型的な実施形態は、自発プレイリストに関する。当該プレイリストは、中心となってプログラムされた販売促進対象の楽曲と、ネットワーク上で気に入られているジャンルベースの楽曲と、ローカルで人気の楽曲とを、プレイリストの同じ属性（ジャンルまたは同一アーティストなど）に基づいて組み合わせる。
【００２１】
同一のまたは類似のアプローチが、検索結果を表すときに用いられる。換言すれば、ある典型的な実施形態は、スマートサーチを提供する。当該スマートサーチにおいて、ジュークボックスの提供者および／またはその他によって販売促進される楽曲を考慮した上で、その現場の楽曲の人気度に基づいて、検索結果がさまざまに異なる。
【００２２】
ある典型的な実施形態において、プロフィール、検索などは、分析的に動かされ得る。イベントは、ジュークボックスにローカルに記憶され、集約され、（例えば、処理電力をオフロードしたり、監査ログをメンテナンスしたり、ネットワーク上のよい意見を取得したりするなどのために）中央で処理される。記録されるイベントとしては、例えば、接触、時間、および、検索などが含まれる。イベントは、楽曲および／またはその他の項目におけるランク付けコレクションに記録されてもよい。例えば、料金投入から楽曲選択までの間は、すばやく済ませることが望まれる。選択の前にスクロールを１回行うことは、依然望ましいであろう。また、選択の前にスクロールを２回行うことも、（おそらく、前述ほどではないけれども）依然望ましいであろう。また、「Ｂａｃｋ」ボタンをたたくことは、ネガティブなフィードバックとして理解されるであろう。有利には、クラウドベースの楽曲販売促進システムによって、現場それぞれのカスタマイズされた経験が可能になる。
【００２３】
ユーザの興味を惹くために、画像が注意深く選択されてもよいし、場合によっては動的に生成されてもよい。例えば、あるレーベルに属しているアルバム作品が過去に用いられたけれども、（例えば、ソーシャルメディア、実施中の巡回公演、ニュースメディアストーリーなどに基づいて）より興味をそそるものであったり、あるいは、話題のものであったり、今流行しているものであったりすれば、より多くの関連物がその場で用いられるであろう。ある典型的な実施形態において、トップレベルの項目は、より興味をそそる画像を有していてもよい。一方、第２レベルの項目は、より期待されるアルバム関連作品を有していてもよい。
【００２４】
ある典型的な実施形態によれば、あるタイプのユーザは、プロフィール、プレイリスト、タイルおよび／またはその類のものを構築することが可能となる。以降の開示内容から明らかになるように、これらの項目は、プログラムの実行によって生成されてもよいし、階層的なやり方で提供されてもよい。上記のタイプのユーザとしては、オペレータ、現場オーナ、顧客、および／または、その類のものを含む。
【００２５】
ある典型的な実施形態は、（１）中央集権化されたゲートウェイ、および、（２）バックエンドソフトウェアパッケージを含む。ゲートウェイは、プロフィール、プレイリスト、タイルなどのリストをメンテナンスし、いつジュークボックスのアップデータが必要かを決定する。バックエンドソフトウェアパッケージによって、これらおよび／またはその他の項目を、生成したり、アップデートしたり、および／または、さもなくば管理したりすることが可能となる。後者には、権限が与えられたユーザに対応するカタログへのリンクが含まれていてもよい。しかし、前者は、ジュークボックスの顧客が、個々のジュークボックスに分配されたプロフィールなどに基づいて販売促進された楽曲と相互作用するだけであることを保証してもよい。
【００２６】
ここに開示された典型的な実施形態、態様、および利点は、さらなる典型的な実施形態を達成するためのあらゆる適した組み合わせまたは部分的な組み合わせで提供されてもよい。
【００２７】
本発明の上述およびその他の特徴、態様および利点は、添付の図面を読みながら次の「典型的な実施形態の詳細な説明」を参照することで、さらに理解されるであろう。
【図面の簡単な説明】
【００２８】
【図１】従来のダウンロードデジタルジュークボックスシステムのブロック図である。
【図２】改善されたジュークボックスシステム１０´の典型的な実施形態のブロック図である。
【図３】ある典型的な実施形態に関連して用いられ得る「ホーム（Ｈｏｍｅ）画面」の具体例を示す図である。
【図４】ある典型的な実施形態に関連して用いられ得るＳｅａｒｃｈ（検索）画面の具体例を示す図である。
【図５】図４に示すＳｅａｒｃｈ画面が用いられた場合の、あるアーティストの検索結果のスクリーンショットの具体例を示す図である。
【図６】図４に示すＳｅａｒｃｈ画面が用いられた場合の、あるアーティストの検索結果のスクリーンショットの別の具体例を示す図である。
【図７】図４に示すＳｅａｒｃｈ画面が用いられた場合の、あるアルバムの検索結果のスクリーンショットの具体例を示す図である。
【図８】図４に示すＳｅａｒｃｈ画面が用いられた場合の、あるアルバムの検索結果のスクリーンショットの具体例を示す図である。
【図９】ある典型的な実施形態に関連して用いられ得る「Ｔｏｐ  Ｐｌａｙｓ（トップ再生）」画面の具体例を示す図である。
【図１０】ある典型的な実施形態に関連して用いられ得る「Ｔｏｐ  Ｐｌａｙｓ」画面の別の具体例を示す図である。
【図１１】ある典型的な実施形態に関連して用いられ得る「Ｄｉｓｃｏｖｅｒ（発見）」画面の具体例を示す図である。
【図１２】図１１に示す具体例としての「Ｄｉｓｃｏｖｅｒ」画面から選択され得る「Ｎｅｗ  Ａｒｔｉｓｔｓ（新着アーティスト）」画面の具体例を示す図である。
【図１３】図１１に示す具体例としての「Ｄｉｓｃｏｖｅｒ」画面から選択され得る「Ｎｅｗ  Ａｌｂｕｍｓ（新着アルバム）」画面の具体例を示す図である。
【図１４】図１１に示す具体例としての「Ｄｉｓｃｏｖｅｒ」画面から選択され得る「Ｎｅｗ  Ａｌｂｕｍｓ」画面の別の具体例を示す図である。
【図１５】ある典型的な実施形態に関連して用いられ得る、図１１に示す「Ｄｉｓｃｏｖｅｒ」画面の具体例における別の一覧を示す図である。
【図１６】ある典型的な実施形態に関連して用いられ得る、図１１に示す「Ｄｉｓｃｏｖｅｒ」画面の具体例における別の一覧を示す図である。
【図１７】ある典型的な実施形態における、選択されたアーティストに対応する「楽曲リストページ」の具体例を示す図である。
【図１８】ある典型的な実施形態における、選択されたアーティストに対応する「アルバムリストページ」の具体例を示す図である。
【図１９】図１８に示す具体例としての「アルバムリストページ」から選択されたアルバムに対応する詳細画面の具体例を示す図である。
【図２０】ある典型的な実施形態における「再生画面」の具体例を示す図である。
【図２１】ある典型的な実施形態における「再生画面」の別の具体例を示す図である。
【図２２】ある典型的な実施形態における「再生画面」の別の具体例を示す図である。
【図２３】ある典型的な実施形態における「再生画面」のさらに別の具体例を示す図である。
【図２４】ある典型的な実施形態におけるｍｙＴｏｕｃｈＴｕｎｅｓ（マイタッチチューン）ログイン画面の具体例を示す図である。
【図２５】ある典型的な実施形態に関連して他のユーザインターフェース要素が配置され得る画面についての具体例の概要を示す図である。
【図２６】ある典型的な実施形態における、図２５に示す具体的なレイアウト画面に重畳表示された回転トレイを示す図である。
【図２７】ある典型的な実施形態における、（例えば、図２６に示す少なくともいくつかのタイルに対して、ユーザが、「フリップスルー」操作を行った後の、）更新された回転トレイを示す図である。
【図２８】ある典型的な実施形態における、新着の楽曲がキューに追加された場合に施され得る、図２７に示す具体的な画面に対する更新を表す図である。
【図２９】ある典型的な実施形態における、キューの一部分を開示するのに適するように変形された、図２８に示す画面のスクリーンショットの具体例を示す図である。
【図３０】ある典型的な実施形態における、図２９に示す具体的な画面が、先に再生された楽曲を反映するように更新された画面を示す図である。
【図３１】図４に関連して示されたおよび上述されたＳｅａｒｃｈ画面と同様に、Ｓｅａｒｃｈ画面を示す図である。
【図３２】典型的な実施形態における、検索結果画面の具体例を示す図である。
【図３３】典型的な実施形態において、例えば、図３２における制御要素のうち、アーティストのタイル、または、アーティストに対応する要素が選択された場合に、拡大されたアーティストの表示の具体例を示す図である。
【図３４】典型的な実施形態において適用される検索完了を示す画面の具体例を示す図である。
【図３５】典型的な実施形態において適用される検索完了を示す画面の具体例を示す図である。
【図３６】ある典型的な実施形態における、特定アーティストのページの具体例を示す図である。
【図３７】図３６から展開されたドロップダウンリストを示す図である。
【図３８】図３７のドロップダウンリストから選択がなされたことに関連して、楽曲リストが再順序付けされた様子を含む図である。
【図３９】ある典型的な実施形態における、展開されたアルバム一覧を示す画面の具体例を示す図である。
【図４０】図３９から更新された、別の選択されたアルバムを示す画面の具体例を示す図である。
【図４１】ある典型的な実施形態における、タイルビューで構成されたプレイリストの画面の具体例を示す図である。
【図４２】図４１からプレイリストが選択された場合に表示される画面の具体例を示す図である。
【図４３】図２２と同様に再生画面の具体例を示す図である。
【図４４】図３９と同様に、展開されたアルバム一覧を示す画面の具体例を示す図である。
【図４５】ある典型的な実施形態における、「ｎｅｗ  ａｎｄ  ｈｏｔ」画面の具体例を示す図である。
【図４６】ある典型的な実施形態における、ジャンルビューの画面の具体例を示す図である。
【図４７】ある典型的な実施形態における、ジャンルビューの画面の具体例を示す図である。
【図４８】ある典型的な実施形態において、ここで開示されるユーザインターフェースが提供された、一具体例としてのジュークボックスの正面斜視図である。
【図４９】典型的な実施形態において、図４８に具体例として示されたジュークボックスにおいて採用された、密閉されたコア部の一具体例の正面図である。
【図５０】図４９に具体的に示されたコア部の底面図である。
【図５１】図４９に具体的に示されたコア部の右側面図である。
【図５２】図５１を回転させた図である。
【図５３】図４９に具体的に示されたコア部を収容可能な、図４８に具体的に示されたジュークボックスの内部を示す正面斜視図である。
【図５４】図５５および図５６において参照される切断線が付された、図４８に具体的に示されたジュークボックスの正面図である。
【図５５】図４９に具体的に示されたコア部がジュークボックスの筐体に配置され、レバーがロックされていない状態または「コアアップ」ポジションにあるときの、図５４に示す切断線に基づいて切断されたジュークボックスの断面図である。
【図５６】図４９に具体的に示されたコア部がジュークボックスの筐体に配置され、レバーがロックされた状態または「コアラッチ」ポジションにあるときの、図５４に示す切断線に基づいて切断されたジュークボックスの断面図である。
【図５７】図５８および図５９において参照される切断線が付された、図４８に具体的に示されたジュークボックスの正面図である。
【図５８】図４９に具体的に示されたコア部がジュークボックスの筐体に配置され、レバーがロックされていない状態または「コアアップ」ポジションにあるときの、図５７に示す切断線に基づいて切断されたジュークボックスの断面図である。
【図５９】図４９に具体的に示されたコア部がジュークボックスの筐体に配置され、レバーがロックされた状態または「コアラッチ」ポジションにあるときの、図５７に示す切断線に基づいて切断されたジュークボックスの断面図である。
【図６０】典型的な実施形態における、図４８に具体的に示されたジュークボックスに関連して用いられ得るファントレイの正面斜視図である。
【図６１】図６０に具体的に示されたファントレイにおける各要素の可動範囲を示す図である。
【図６２】図６０に具体的に示されたファントレイの平面図であり、該ファントレイの電子ファン制御部を示す図である。
【図６３】図６０に具体的に示されたファントレイの正面図である。
【図６４】図６０に具体的に示されたファントレイの底面図である。
【図６５】ジュークボックスの筐体に配置された、図６０に具体的に示されたファントレイの正面斜視図である。
【図６６】図６７および図６８で参照される切断線が付された、図４８に具体的に示されたジュークボックスの正面図である。
【図６７】Ａ−Ａ線に基づいて切断することにより得られた、図６６のジュークボックスの断面図である。
【図６８】Ｃ−Ｃ線に基づいて切断することにより得られた、図６６のジュークボックスの断面図である。
【図６９】典型的な実施形態において、新しいプロフィールを作成する際に用いられ得る、プロフィール詳細ページの具体例を示す図である。
【図７０Ａ】ある典型的な実施形態において、プロフィールを作成するために用いられ得る画面の具体例を示す図である。
【図７０Ｂ】ある典型的な実施形態に関連して採用され得る、プロフィールヘッダフォーマットの具体例を示す表である。
【図７１Ａ】ある典型的な実施形態において用いられ得る、タイル作成画面の具体例を示す図である。
【図７１Ｂ】ある典型的な実施形態に関連して採用され得る、タイル定義フォーマットの具体例を示す表である。
【図７１Ｃ（１）】ある典型的な実施形態に関連して採用され得る、タイル定義フォーマットの他の具体例を示す表である。
【図７１Ｃ（２）】前記表の続きである。
【図７２】図６９に示す画面における下段部分の領域の拡大図であり、プロフィールに追加されたタイルを示す図である。
【図７３Ａ】ある典型的な実施形態において、ユーザに提示され得る、プロフィール分析画面の具体例を示す図である。
【図７３Ａ（１）】ある典型的な実施形態において、分析モジュールの一部として実装され得る、収入−再生相関データを示すグラフである。
【図７３Ａ（２）】ある典型的な実施形態において、分析モジュールの一部として実装され得る、収入−再生相関データを示すグラフである。
【図７３Ａ（３）】ある典型的な実施形態において、分析モジュールの一部として実装され得る、収入−再生相関データを示すグラフである。
【図７３Ａ（４）】ある典型的な実施形態において、分析モジュールの一部として実装され得る、収入−再生相関データを示すグラフである。
【図７３Ｂ】ある典型的な実施形態において、ユーザに提示され得る、タイル分析一覧の具体例を示す図である。
【図７４】ある典型的な実施形態において、動的タイルを作成するために用いられ得る、タイル新規作成画面の具体例を示す図である。
【図７５】ある典型的な実施形態において用いられ得る、承認画面の具体例を示す図である。
【発明を実施するための形態】
【００２９】
今、図面を参照すると、図２は、改良されたジュークボックスシステム１０’の典型的な実施形態のブロック図である。ジュークボックスシステム１０’は、図１に示されている部材と同様の部材を備えている。ジュークボックスシステム１０’は、上述したように、中央サーバ１２、通信ネットワーク１４、およびリモートジュークボックス装置１６、１６ａ〜１６ｆを含んでいるが、さらに、ローカルサーバ２２、２２ａ〜２２ｆを含んでいる。ローカルサーバ２２、２２ａ〜２２ｆは、それぞれ、ジュークボックス装置１６、１６ａ〜１６ｆと接続されている。中央サーバ１２は、楽曲（および／または他のコンテンツ）のマスターライブラリを備えている。各ジュークボックス装置は、ジュークボックス装置のローカルストレージ装置にマスターライブラリの一部を備えている。中央サーバは、楽曲の利用率が最大化するために各ジュークボックス装置の楽曲の利用率を監視して楽曲の一部を更新することにより、ジュークボックス装置のコンテンツを個別に管理するために使用されてもよい。中央サーバ１２は、再生された楽曲のロイヤリティの計算および支払いのために、各ジュークボックスから定期的にデータを受信する。ジュークボックス装置は、ダイヤルアップモデムまたはブロードバンドモデム（例えば、ＤＳＬ、ケーブル、無線ブロードバンド、もしくは衛星）といった任意の適切な方法でネットワークに接続されていてもよい。通信ネットワーク１４は、中央サーバ１２からジュークボックス１６にデータ（例えば、オーディオビジュアルデータ）を配信可能であって、ジュークボックス１６から中央サーバ１２にデータをアップロード可能な任意の適切なネットワークであってもよい。
【００３０】
楽曲（および／または他のデータ）は、ジュークボックスに送信される前に、セキュリティおよび帯域上の理由から中央サーバ１２によって既知の技術を用いてデジタル化され、圧縮され、暗号化される。そして、楽曲は、ジュークボックスでの保存および再生のために、解凍され、復号化される。このようにして、各ジュークボックスは、ジュークボックスで再生するデジタル化された楽曲のライブラリをデータベースに保持するが、ライブラリは中央サーバからの通信を通じて、変更または更新することができる。ジュークボックスは、ジュークボックス装置１６のディスプレイ１８に表示可能な画像（例えば静止画像および／または動画像および／またはグラフィック画像）を構成するデータを受信および保存してもよい。本発明の典型的な一実施形態に係るジュークボックス装置は、先に言及した米国特許第６，３０８，２０４号明細書に記載されている構造と同様の構造を備え、同様に動作する。したがって、ジュークボックス装置１６は、それぞれ、メインＣＰＵやオーディオＤＳＰといった１つ以上のマイクロプロセッサ、ハードディスクのような音楽および／またはその他のコンテンツを保存するための記憶装置、ビジュアルアイテムを表示するためのディスプレイ、音声を供給するオーディオ装置２０、通信ネットワーク１４を通じてジュークボックスを中央サーバ１２と通信できるようにする通信システム、および、ジュークボックスの動作を制御する操作用ソフトウェアであってマルチタスクオペレーティングシステムを含んだ操作用ソフトウェアを備えていてもよい。操作用ソフトウェアは、例えば、先に言及した米国特許第６，３０８，２０４号明細書に記載されているように中央サーバ１２との通信を通じて更新可能になっていてもよい。さらに、ジュークボックス１６は、例えば、コイン、紙幣、および／またはクレジットカードの投入装置のような、顧客がジュークボックスの利用代金を便利な方法で支払えるようにする１台以上の支払い装置を備えていてもよい。スクリーン１８は、タッチすることでユーザが入力を選択すること可能にするタッチスクリーンであってもよい。
【００３１】
一実施形態において、各ジュークボックスは、ジュークボックス装置がアクセス可能なローカルサーバ２２を備えていてもよい。各ローカルサーバは、イーサネット（登録商標）または他の種類のローカル接続を用いて、ジュークボックス装置に接続されている。別の実施形態では、ローカルサーバは、別のハードウェア装置ではなく、単に、ジュークボックスのハードドライブの論理的な拡張（例えば、パーティション、ディレクトリ、または領域）であってもよい。各ローカルサーバ２２は、中央サーバ１２が保持する音楽レコードのマスターライブラリのミラーコピーを備えている。ローカルサーバおよびジュークボックス装置がジュークボックスのディストリビュータまたはオペレータに出荷される前に、ローカルサーバ２２には、ジュークボックスのネットワークを所有および／または制御するエンティティによってマスターライブラリが搭載されてもよい。もちろん、中央サーバは追加の楽曲または新曲で継続的に更新されるという事実から、ローカルサーバは、時間が経過すると、もはや、中央サーバと完全に一致しなくなる。したがって、ローカルサーバ２２も、中央サーバ１２とライブラリが継続して一致するように、定期的に更新されてもよい。例えば、中央サーバ１２が、例えばダイヤルアップモデムまたはブロードバンドモデムを用いてローカルサーバ２２に接続されているジュークボックス装置との通信を通じて、この更新を行ってもよい。あるいは、販売人または他の人がローカルサーバのコンテンツを更新する目的でジュークボックスまたはローカルサーバに直接接続可能な更新ツールを用いて、更新を直接行うこともできる。携帯用のツールは、ハードドライブのような、将来の更新のためにジュークボックスシステムのオーナーに返却可能であってオーナーが再利用可能なリムーバブルストレージメディアを含み得る。ジュークボックスシステムのオーナーから更新されたリムーバブルストレージメディアを受け取ったときに、使用される特定のジュークボックスの保守を担当するオペレータまたは他の人がツール自体を管理してもよい。
【００３２】
セキュリティ上の理由から、ローカルサーバ２２は、ローカルサーバ２２に格納されている任意の楽曲についてその楽曲を構成するすべてのデジタルデータを含んでいるわけではない。さらに、ローカルサーバの楽曲の一部は暗号化されている。ジュークボックス装置１６は、ローカルサーバの各楽曲の欠落部分を備えており、これにより、ジュークボックスは、ローカルサーバのコンテンツとジュークボックス装置の記憶装置のコンテンツとに基づいて完全な楽曲にできる。ジュークボックスにある欠落部分のデータは楽曲を復号するために必要である。例えば、各楽曲のデータの単一ブロック（または他のごく一部分）はローカルサーバには存在しないがジュークボックス装置に存在し、暗号化は、欠落部分のブロックに基づいて、ブロック毎に進行するかもしれない。したがって、前のブロックを取得および／または復号することなしには、どのブロックも復号することはできない。この特徴が、かなりの安全性を提供し、ローカルサーバの楽曲の窃盗、許可されていない他の種類の使用、またはコピーを妨げ、抑止する。したがって、本実施形態では、各ローカルサーバは、上述した復号が適切に行われるよう、特定のジュークボックス装置専用に割り当てられなければならない。
【００３３】
典型的な一実施形態によれば、中央サーバが各ローカルサーバの管理および監視を個別に行えるように、各ローカルサーバは、中央サーバ１２に個別に登録され、中央サーバ１２に識別されてもよい。同じことがジュークボックス装置自身にも当てはまる。すなわち、中央サーバがジュークボックスの管理および監視を個別に行えるように、ジュークボックス装置は中央サーバに登録されてもよい。これまでの説明からわかるように、ジュークボックス自体では利用できないさらなるサービス（追加の楽曲の提供等）を提供するためにジュークボックスがローカルサーバのコンテンツにアクセスすることを許可することにより、ローカルサーバは、ジュークボックスシステムの重要で有益な部分となる。以下に説明するように、課金ベースの家庭用ジュークボックスおよび商用ジュークボックスといった他のジュークボックス、並びに／または、その他の課金ベースの装置にサービスを提供する目的で、中央サーバの楽曲ライブラリおよび／または記憶容量自体は有利的に使用することができる。ローカルサーバの１つの用途は、楽曲を即時にダウンロードする特徴を提供することであってもよい。
【００３４】
上記で示されたように、ある典型的な実施形態は、例えばタッチスクリーンを用いた、メディアコンテンツを探索および閲覧するための新しいユーザインターフェースを含む。ある典型的な実施形態は、感知されたタッチの位置、方向、およびスピードを取得する。このデータは、表示画面上に提供されるスペースにおける多数のオブジェクトの案内を支援するために用いられ得る。
【００３５】
このように、空間は、全グラフィック要素が与えられる一般的な表現領域である。コレクションは一般的に、メディアの論理的コレクションを参照し、優先フィルタリングに従ってもよく、例えば、動作主のための異なるレベルの基準および／または異なる選択に基づく基準を満たすメディアのみを与え、入手可能にする。それらはときどき、グラフィック画像によって表現されてもよい。オブジェクトは一般的に、中央カタログからの系列で表現される、楽曲、アーティスト、プレイリスト、ゲーム、またはメディアソースを参照する。与えられるオブジェクトはときどき、ユーザまたは位置の優先と、オブジェクトの属性との間のマッチに従うものとして考えてもよく、オブジェクトは閲覧されていた。指定の同時継続の出願（上記で言及される）のいくつかに記載されるように、認証機構は、他のものの間で、ユーザを特定し、セキュリティ信任認証を与えるために提供されてもよい。
【００３６】
図３〜図２４において示されるスクリーンショットの具体例に関連して、ここに、ユーザインターフェースの具体例を説明する。図３は、ある典型的な実施形態に関連して用いられ得る「ホーム画面」の具体例を示す図である。図３に示されるホーム画面の具体例は、４つのメインナビゲーション要素のグループを含む。これらの要素は、要素３０２ａ〜３０２ｄである。これらの要素の各々によって、ユーザは、新規かつ直観的なやり方で、ｈｏｍｅ画面、ｓｅａｒｃｈ開始、「ｔｏｐ  ｐｌａｙｓ」、および、音楽「ｄｉｓｃｏｖｅｒ」のそれぞれにたどり着くことができる。ユーザは、目下、ｈｏｍｅ画面にいるので、まず、ｈｏｍｅ要素３０２ａがアクティブであるとして、ハイライトされている。その他の要素３０２ｂ〜３０２ｄに関連付けられた機能は、以下で、非常に詳細に説明する。これらのメインナビゲーション要素３０２ａ〜３０２ｄは、ある典型的な実施形態において、一貫性のある外観を提供するため、ユーザに同調するため、および、これら共通のハイライトされた機能に簡単にたどり着くことを可能にするために、様々な画面を通じて表示されてもよいことを理解されたい。
【００３７】
その他の一覧のうちの一部またはすべてに亘って表示され得るこれらのメインナビゲーション要素３０２ｂ〜３０２ｄの下において、画面の左側に沿って、さらなる情報が提供されてもよい。例えば、アイコン３０４は、携帯端末装置（スマートフォン、タブレット、ファブレットなどのようなもの）にソフトウェアアプリケーション（アプリ）をダウンロードするやり方を示す命令を提供してもよい。携帯端末装置は、例えば、ユーザがジュークボックスの少なくとも一部を制御することを可能にする。例えば、これらのような機能は、ユーザが楽曲を並べ替えたり、クレジット（ＣＲＥＤＩＴＳ）を購入したりすることなどを可能にする。Ａｂｏｕｔボタン３０６を押下することにより、ジュークボックスの提供者についてのさらなる情報にアクセスすることができるようにしてもよい。法律上の情報が付された画面（例えば、著作権、特許、および／または、その他の情報）が表示されてもよい。販売促進のための項目もこの領域に表示されてもよい。
【００３８】
図３に示す例において、Ｔｗｅｅｔ  ｆｏｒ  Ｔｕｎｅｓ促進アイコン３０８が表示される。この特定の促進は、外部のソーシャルネットワークサイト（本例では、ツィッター）につながっており、上記外部のソーシャルネットワークサイトのアカウントも持っている、登録されたジュークボックスのユーザが、自身がジュークボックスを介して聴いている楽曲を公表する（本例では、ツィートする）ことを可能にする。類似のアプリ機能がシミュレートされてもよい。例えば、ユーザは、他のユーザが公表した楽曲をくまなく探すことができてもよい。もちろん、他の促進のためのロゴが、ここにあるいはその他のところに提供されてもよく、これらのロゴは、別の例において、外部のソーシャルネットワークサイトにつながっても、つながっていなくてもよいことを理解されたい。
【００３９】
メインナビゲーション要素３０２ｂ〜３０２ｄなどがある一番左のウィンドウ枠と同様に、上部のステータスバーは、ユーザに情報を提供するための様々な画面を通じて表示され得る情報を提供してもよい。該情報は、どの機能がアクティブであるいか、あるいは、アクティブ化されたかということとは無関係に、選択を行う上で助けになる情報であってもよいし、および／または、広く注目されている情報であってもよい。例えば、上部バーは、「再生中（ｎｏｗ  ｐｌａｙｉｎｇ）」表示３１０を含んでいてもよい。表示３１０は、本例において、楽曲名と、その楽曲を歌っているアーティストまたはグループ名と、その楽曲が収められているアルバムまたはその楽曲に関連付けられているその他の作品とを識別している。クレジット（ｃｒｅｄｉｔｓ）表示３１２は、ジュークボックスにクレジットがいくら投入されたのかを示してもよいし、再生、カラオケ、フォトブース、楽曲購入、および／または、その他の目的のためにクレジットをいくら使うことができるのかを表示してもよい。クレジットの費用の金額がいくらであるのかを示す情報が、本例におけるレイアウトにおいて提供されてもよい。ユーザがアクセスしているユーザインターフェースの一部であるのか否かにかかわらず、その他のユーザにとって有益な情報が、上部ステータスバーに表示されてもよい。例えば、ログイン（ｌｏｇｉｎ）ボタン、言語選択ボタン、ヘルプ（Ｈｅｌｐ）ボタンがこの場所または別の場所に提供されてもよい。ｌｏｇｉｎボタンは、具体的には、ジュークボックスのユーザが、ジュークボックス専用のユーザ名／パスワードの組み合わせを介して、単一サインオンまたはＳＳＯログイン操作を用いて、ジュークボックスにサインインすることを可能にする。ＳＳＯログイン操作は、外部のソーシャルネットワークサイト（フェイスブック、ツィッター、など、電子メールアカウントログインを介して）のアカウントに関連した操作である。Ｈｅｌｐボタンは、具体的には、表示されている特定の画面に基づいて、いくつかのケースにおいて、カスタマイズされ得る、文脈依存のヘルプを表示するときのトリガとなる。多くのユーザインターフェース要素が国際化をサポートしてもよいということを述べておく。例えば、テキストまたは画像の一部は、ハードコーディングされる代わりに、同一ラベルに置き換えられてもよい。同一ラベルとは、データベース内のテーブルにおいて、英語、フランス語、スペイン語などで書かれた同一のテキストに対応する、および／または、それ以外の、ラベルである。本システムは、インターフェースの言語選択をできるようにしてもよく、ユーザによってなされた言語選択に基づいて、正しいテキストが付されたラベルに置き換える。
【００４０】
画面の下の方に、ジュークボックス関連で取り上げられた広告を表示してもよい。例えば、図３に示す例では、リーダーボード型の広告が提供されており、「ｕｌｔｉｍａｔｅ  ｊｕｋｅｂｏｘ  ｃｌａｓｓｉｃｓ」のプレイリストがハイライトされている。（以下で説明されるその他のプレイリストのいくつかまたはすべてのような）このプレイリストは、特定顧客向けに編集された、再生可能な楽曲のコレクションであってもよい。この特別なプレイリストは、人気のあるジュークボックスの楽曲（例えば、Ｊｏｕｒｎｅｙの「Ｄｏｎ’ｔ  Ｓｔｏｐ  Ｂｅｌｉｅｖｉｎ’」、Ｊｏａｎ  Ｊｅｔｔの「Ｉ  Ｌｏｖｅ  Ｒｏｃｋ  ａｎｄ  Ｒｏｌｌ」、Ｎｅｉｌ  Ｄｉａｍｏｎｄの「Ｓｗｅｅｔ  Ｃａｒｏｌｉｎｅ」などの楽曲のように、マーケティングおよび／または音楽の専門家たちのグループによって選択された楽曲）を含んでいてもよい。このリーダーボード型の広告は、メインのナビゲーション要素３０２ｂ〜３０２ｄおよび／または上段のステータスバーよりも低い優先度で、さまざまな画面に亘って表示されてもよい。換言すれば、このリーダーボード型の広告は、追加のコンテンツのスペースを確保するために取り除かれてもよいケースにおいて、追加のスペースが不要なときには、さまざまな画面に亘って表示され得る。同様のことが、メインのナビゲーション要素３０２ｂ〜３０２ｄおよび／または上段のステータスバーにも当てはまる。しかし、上記要素および上記バーは、少なくともある典型的な実施形態において、追加のコンテンツのスペースが十分に提供されるためには、最初に下方のリーダーボード型の広告を削除するだけでは不十分であるという場合にのみ、取り除かれる。
【００４１】
図３に示すスクリーンショットの例においてメインコンテンツの領域は、上段のステータスバーと、下段のリーダーボード型の広告と、メインナビゲーション要素３０２ｂ〜３０２ｄとによって区切られた部分である。メインコンテンツ領域は、例えば、連続するいくつかの段によって定義されるセクションをいくつか含み得る。１段目には、取り上げられたジュークボックス関連広告３１６が含まれる。ここに例示されるジュークボックス関連広告３１６は、新着アルバムに関連するものであり、新着アルバムに関する販促作品を含む。ここに示す具体例においては、販促作品としては、Ｋｉｄ  Ｒｏｃｋの画像、彼の名前、そして、販促される新着アルバムの名称の図案化されたバージョンが含まれる。当然のことながら、その他のジュークボックス関連広告（例えば、広告アーティスト、楽曲、レーベル、イベントなど）が提供されてもよいということを理解されたい。広告は、例えば、ジュークボックスにて再生が可能である音楽に関係するものであるので、ここでは、ある広告は、ジュークボックス関連広告として説明されているが、ある典型的な実施形態においては、例えばセクション３１６またはその他の部分において、ジュークボックスに関連しない広告が、関連広告に追加してあるいは代わりに、提供されてもよい。
【００４２】
２番目の段３１８には、さまざまなプレイリストに対応する要素が含まれる。上述したとおり、これらのプレイリストは、ある典型的な実施形態において、特定顧客向けに編集されていてもよい。図３に示すプレイリストの例では、お気に入り、ディスコ楽曲、および、「ｈｏｔ  ｈｉｔｓ」が含まれている。ある典型的な実施形態において、ユーザによって生成されたプレイリストが、これらの特定顧客向けに編集されたプレイリストに代わって、あるいは、加えて提供されてもよい。ユーザは、所望のプレイリストを押すことによって選択でき、選択されたプレイリストは、以下で説明するように画面に展開される。ユーザは、例えばさらに別のプレイリストにアクセスするために、押したり、左右にパンしたりしてもよい。
【００４３】
３番目の段３２０には、個々の楽曲に対応する要素が含まれる。これらの楽曲は、「ｔｏｐ  ｐｌａｙｓ」として指定される。これらは、ある典型的な実施形態において、例えば、あるバンド、アルバム、レーベル、来るべきイベントなどの宣伝のために、あらかじめ選択された項目であってもよい。ある典型的な実施形態において、個別の場所におけるｔｏｐ  ｐｌａｙｓ、単一のオペレータによって提供される場所から単一の団体によって所有される場所まで、場所のあらかじめ定められた近さまたはグルーピングなどの範囲内の各地におけるｔｏｐ  ｐｌａｙｓ、ジュークボックス全体のネットワークに亘ってのｔｏｐ  ｐｌａｙｓ、および／または、そのようなものが、ある典型的な実施形態における上記領域に提供されてもよい。ある典型的な実施形態において、この情報は、産業標準に基づいて、または、その他のチャートに基づいていてもよい。チャートは、例えば、ビルボードホット１００、ビルボードジャンルチャートなどである。上述のように、ユーザは、例えばさらに別の楽曲にアクセスするために、押してもよいし、左右にパンしてもよい。
【００４４】
ユーザは、さらに段によって指定されたコンテンツにアクセスするために、押してもよいし、上にパンしてもよい。追加の広告、楽曲のグルーピング、ジュークボックス関連サービス（カラオケ、フォトブース、ゲームなど）、および／または、そのようなものは、例えば、可視およびアクセス可能であってもよい。ある典型的な実施形態において、ネットワークを介して再生されている楽曲の、リアルタイムあるいは実質リアルタイムの「ｐｌａｙｉｎｇ  ｎｏｗ」ストリームが、ある段に提供されてもよい。中央サーバまたは他のユニットは、例えば、個々のジュークボックス装置から、再生に関するデータをネットワーク上で受信してもよい。設定可能に固定された、または、スライドするウィンドウ（５分、１０分、１５分、１時間、１日など）の範囲内で、および／または、いくつかの他のやり方で、上記再生情報を、いつでも要求された楽曲を集計し続けるのに役立ててもよい。ある典型的な実施形態において、上記情報は、ウォールストリートのようなテロップ欄として提示されてもよい。例えば、リアルタイムまたは実質リアルタイムに収集されたネットワークデータに基づいて、トップ４０を示したり、あるいは、それ以外の数の楽曲の上下移動を示したりしてもよい。移動は、ウィンドウからウィンドウへの変化に基づいてなされてもよい。そして単一の上矢印および下矢印（任意で緑、赤、または、その他の色が彩色されてもよい）が、移動させるのに用いられてもよい。他のケースでは、例えば、任意で地点の数とともにまたはそれに代えて記録される、プラスまたはマイナスのサインなどとともに、移動量が記録されてもよい。
【００４５】
ある典型的な実施形態において、メインの画面に表示された楽曲は、消費されるクレジットの数に基づいてグループ化されてもよい。例えば、ユーザは、１クレジットがかかる楽曲のみを閲覧するために選択を行うこともできるし、１または２クレジットがかかる楽曲のみを閲覧するために選択を行うこともできる。ある典型的な実施形態において、デフォルトの表示は、１または２クレジット消費する楽曲を含んでいてもよい。しかし、これは、ユーザの選択に基づいて、更新されてもよい。
【００４６】
ある典型的な実施形態について、おおよそ「固定された」要素が、画面の上側、左側、下側に含まれているものとして説明してきた。しかし、これらの情報に対して、その他のレイアウトが提供されてもよい。図３に示され、上で説明されたレイアウトは、英語およびその他の言語圏でよく機能する。例えば、ユーザは、画面の略垂直中央および右側において提供されたメインコンテンツに注目する傾向があるからである。なぜなら、言語の多くは、左から右へ、上から下へ記載されるからである。しかしながら、他の言語の地域では、これらの固定された要素を画面周辺に動かしてもよいし、および／または、お互いに関連付けてもよい。例えば、ヘブライ語の地域向けには、メインナビゲーション要素３０２ａ〜３０２ｄを、画面の右側に移動させてもよい。なぜなら、この言語は、右から左へ、上から下へ記述されるからである。アジア言語圏向けには、記述スタイルなどに基づいて、カラムベースアプローチがより適している。図３に示す基本要素を９０度回転させて、順番に並べればよい。
【００４７】
図４は、ある典型的な実施形態に関連して用いられ得るＳｅａｒｃｈ画面の具体例を示す図である。図４に示す具体例としての画面は、初めに検索が要求されたときに（例えば、ユーザによって何らかの検索キーが入力される前に）表示され得る。メインナビゲーション要素３０２ａ〜３０２ｄを含むことに加えて、上方のステータスバーも提供され得る。なお、Ｓｅａｒｃｈ要素３０２ｂは、それが選択されているということを示すためにハイライトされている。この上方の領域は、追加の制御要素のためのスペースを確保するために拡張されてもよい。制御要素とは、例えば、ブレッドクラム、Ｂａｃｋボタン４０２、および／または、同種ものである。ブレッドクラムは、ジュークボックスのインターフェースを介してユーザが選択した「経路」を示すものである。Ｂａｃｋボタン４０２は、ある典型的な実施形態においては、選択された画面が、Ｈｏｍｅ画面であるか否かにかかわらず、ユーザを、図３に示すＨｏｍｅ画面に瞬時に戻す。しかしながら、追加のコンテンツの項目のためのスペースを確保するために、下方のリーダーボード型の広告が削除される。全般的に、Ｂａｃｋボタンは、ブラウザの戻るボタンと似た機能を有している。ユーザが新しいページに進もうとしている場合、Ｂａｃｋボタンは、単なる断片であるか、あるいは、モーダルな状態にあり、その後、Ｂａｃｋボタンが有効となる。一方、上記が適用されない場合、インターフェースは以下のように作られてもよい。すなわち、ユーザは、同じページを異なるやり方で簡単に示すことができ、Ｂａｃｋボタンは、前の状態に戻ることができないというインターフェースである。
【００４８】
メインコンテンツ領域を参照して、ユーザ入力を受け付ける前は、１または複数のスポンサーの、または、その他の広告４０４が提供されてもよい。これらの広告は、所定の広告キャンペーンにしたがって、ログインしたユーザについて知られている情報に基づいて、現在再生中の楽曲に関連する何らかのものとして、および／または、その他の基準に基づいて、ランダムに選択されてもよい。広告４０４は、アクティブリンクを含んでいてもよい。アクティブリンクによって、ユーザは、例えば、広告４０４を押下することによって、その広告に関連するさらに追加のコンテンツにアクセスすることが可能となる。例えば、上記広告は、追加のコンテンツが掲載されたウェブブラウザまたは同種のものを開いてもよい。追加のコンテンツとしては、例えば、ＱＲコード（登録商標）、店舗の地図、ゲーム、および／または、同種のものが挙げられる。ＱＲコード（登録商標）は、後で特定の場所で換金可能な割引サービスにアクセスするためにスキャンされる。このような追加のコンテンツが、例えば、制御要素が上部および底部（および／または画面内のその他の位置）に提供されるように、ジュークボックスエコシステムのコンテクスト内で提供され得る。それでもなお、ユーザは、依然、ホームのジュークボックス環境に接続しているように感じる。
【００４９】
ユーザは、検索エンジンに対して入力を行うために、キーボード４０６を用いてもよい。入力された文字は、テキスト入力領域４０８に表示されてもよい。何の文字も入力されていない場合には、テキスト入力領域４０８には、単に、検索対象のカタログのうちの選択された部分が示されていてもよい。しかしながら、これは、入力されたテキストではなく、説明のためのテキストであるということを示すために、該説明のためのテキストの表示は、比較的薄い色の文字、細い線の文字、イタリック体の文字などによって提供されてもよい。
【００５０】
検索対象のカタログの部分は、制御要素４１０ａ〜４１０ｃのいずれか一つを選択することによって指定されてもよい。図４に具体例として示すように、制御要素４１０ａ〜４１０ｃによって、ユーザは、検索したいアーティスト、アルバム、および／または、楽曲を指定することが可能となる。図４の具体例において、アーティスト制御要素４１０ａが、選択されており、したがって、ハイライトされている。そして、キーボード４０６によって、ユーザのデータが何ら提供されていないので、テキスト入力領域４０８にも、上記選択が反映されている。ある典型的な実施形態においては、楽曲検索では、楽曲のタイトルおよび／または歌詞を検索してもよい。
【００５１】
図５は、図４に示すＳｅａｒｃｈ画面が用いられた場合の、あるアーティストの検索結果のスクリーンショットの具体例を示す図である。図５に示すとおり、ユーザは、アーティスト検索のためのテキスト「ＸＹＺ３２１」をテキスト入力領域４０８に入力した。該当するアーティストが見つからなかった場合、類似するアーティストの検索結果が、検索結果サマリ領域５０２に提供される。リストベースの検索結果リスト５０４自体は、空欄である。ある典型的な実施形態では、検索結果リスト５０４および検索結果サマリ領域５０２は、ユーザが追加の文字を入力するのにつれて随時、リアルタイムに更新されてもよい。
【００５２】
図６は、図４に示すＳｅａｒｃｈ画面が用いられた場合の、あるアーティストの検索結果のスクリーンショットの別の具体例を示す図である。図６に示すとおり、ユーザは、アーティスト検索のためのテキスト「ＡＣ」をテキスト入力領域４０８に入力した。検索結果サマリ領域５０２は、２００組のアーティストが見つかったことを示している。そして、リストベースの検索結果リスト５０４は、条件に合致した項目を含んでいる。状況に応じて、検索結果リスト５０４において、条件に合致した項目ごとに関連付けられている楽曲の数が提供されてもよい。上矢印５０６ａおよび下矢印５０６ｂが、リスト全体をナビゲートするのに用いられてもよい。あるいは、ユーザは、簡単に、例えば、自身の指を上下に合わせて動かすことによって、リストをスクロールアップまたはスクロールダウンすることができてもよい。
【００５３】
ある典型的な実施形態において、検索結果リストは、合致すべき条件に対する近似性に基づいて並べられてもよい。図示の結果の中の「ＡＣ／ＤＣ」は、条件に最も合致しているので、リストの１番目に挙げられている。「Ａｄｅｌｅ」は、２番目に挙げられている。なぜなら、「ＡＣ」と「ＡＤ」とは、アルファベット順においても、キーボードの配置においても、互いに似ているからである。このことは、タッチスクリーンキーボードおよび／またはそれと同様のインターフェースを用いる場合にしばしば遭遇する困難性を解消しようと努力する上で、助けとなり得る。例えば、検索文字を含む文字列が抽出されるなどのような、類似性検索が提供されてもよい。例えば、「Ａｌａｎ  Ｊａｃｋｓｏｎ」は、「ＡＣ」を含んでいる。このようにすれば、不注意によってミスされたスペルでも、しばしば、適切な結果が反映され得る。
【００５４】
図７は、図４に示すＳｅａｒｃｈ画面が用いられた場合の、あるアルバムの検索結果のスクリーンショットの具体例を示す図である。図７に示すとおり、ユーザは、アルバム検索のためのテキスト「ＡＬ」をテキスト入力領域４０８に入力した。検索結果サマリ領域５０２は、１６５のアルバムが見つかったことを示している。そして、リストベースの検索結果リスト５０４は、条件に合致した項目を含んでいる。状況に応じて、アルバムについてのさらなる情報が、例えば縦欄式で、提供されてもよい。例えば、アーティスト名が一覧表示され、その他の項目が注釈として付加される。例えば、注釈されるその他の項目は、そのアルバムについて、未成年者に不適切な内容が取り除かれたｃｌｅａｎバージョンまたは未成年者に不適切な内容が露骨に含まれるｅｘｐｌｉｃｉｔバージョンが入手できるか否かを示していてもよいし、そのアルバムが新着としてフラグが付与されているか否かを示していてもよい。新着とは、例えば、所定の期間（１週間、１か月、または、その他の期間）以内に、新しくジュークボックスネットワークに追加されたこと、同じく所定の期間以内に新しくリリースされたことなどを指す。その他の重要な情報の中には、アルバムには何曲の楽曲が収録されているのかを示す標識や、アルバムがどのくらい人気があるかを測定する基準などが含まれていてもよい。ある典型的な実施形態では、アルバムは、検索結果リスト５０４において提供される上述の情報に基づいて、ソートされてもよい。
【００５５】
図８は、図４に示すＳｅａｒｃｈ画面が用いられた場合の、あるアルバムの検索結果のスクリーンショットの具体例を示す図である。図８に示すとおり、ユーザは、楽曲検索のためのテキスト「ＳＵ」をテキスト入力領域４０８に入力した。検索結果サマリ領域５０２は、５２０曲の楽曲が見つかったことを示している。そして、リストベースの検索結果リスト５０４は、条件に合致した項目を含んでいる。上述と同様に、状況に応じて、楽曲とともに、さらなる情報が提供されてもよい。例えば、各楽曲を再生するのに必要なクレジットが、アーティスト名およびその他の注釈の項目（例えば、その楽曲がｃｌｅａｎバージョンであるか反対にｅｘｐｌｉｃｉｔバージョンであるかの情報や、新着フラグなど）とともに表示されてもよい。
【００５６】
図９は、ある典型的な実施形態に関連して用いられ得る「Ｔｏｐ  Ｐｌａｙｓ」画面の具体例を示す図である。ＴｏｐＰｌａｙｓリストにおける項目は、任意の適した方法にて生成されてもよい。例えば、上述したとおり、ある典型的な実施形態では、リアルタイムにまたは実質リアルタイムに、ネットワークを介して再生されている楽曲のストリームが提供されてもよい。例えば、中央サーバまたはその他のユニットは、個々のジュークボックス装置から、ネットワークを介して、再生する楽曲および／またはアルバムについてのデータを受信する。再生情報は、例えば、５分、１０分、１５分、１時間、１日など、設定で変更可能なスライドウィンドウの範囲内で、および／または、いくつかの他のやり方で、全時間に亘って要求された楽曲および／またはアルバムのタイル貼りを維持するために用いられてもよい。このリストは、例えば更新のタイミングに合わせるなど周期的に、毎日／毎晩、または、規則的または不規則的ないくつかの他の間隔にて、生成および／または読み出される。また、このリストは、動的に（例えば、ＴｏｐＰｌａｙｓ要素３０２ｃが選択されたときに）、生成および／または読み出されてもよい。ある典型的な実施形態では、業界基準および／またはその他のチャートがそのような情報を提供するのに用いられてもよい。
【００５７】
ＴｏｐＰｌａｙ情報は、例えば、リスト９０２を用いて、リスト形式で表される。ユーザは、リスト９０２自体を上下に押したり動かしたりすることにより、あるいは、スクラバーバー９０４を用いることにより、アップ制御要素およびダウン制御要素を用いて、リストをナビゲートすることができる。例えば、スクラバーバー９０４の上で、場所１にある最も高い部分と、リストの終わりを示す最も底の部分との間で、ある場所を押下することにより、ユーザは任意の位置にジャンプすることができる。例えば、スクラバーバー位置表示マーク９０６を用いて、現在位置が示されてもよい。
【００５８】
図９から理解され得るとおり、ユーザは、アルバムまたは楽曲の用語で、ＴｏｐＰｌａｙｓを選択してもよいし、ＴｏｐＰｌａｙｓの結果を、例えば第１ソート基準として、アルファベット順に、または、人気順にソートしてもよい。このとき、カタログ選択部９０８ａ〜９０８ｂおよびソート選択部９１０ａ〜９１０ｂがそれぞれ用いられてもよい。このような選択肢に依存して、リスト９０２は、上述したような追加の情報および／またはその他の情報のいくつかまたはすべてを含んでいてもよい。
【００５９】
また図９から理解され得るとおり、リストビューが提供されてもよい。しかしながら、レイアウト選択肢９１２ａ〜９１２ｂを用いて、ユーザは、グリッドビューにおいて、項目を再配置してもよい。この点について、図１０は、ある典型的な実施形態（例えば、グリッドビューを採用した実施形態）に関連して用いられ得る「Ｔｏｐ  Ｐｌａｙｓ」画面の別の具体例を示す図である。グリッドベースリスト９０２’は、リスト９０２が示す情報と同じ情報を含んでいる。しかし、データは、視覚的により魅力的となるように再配置されている。上述したのと同様のやり方で、グリッドを用いてのナビゲーションが提供されてもよい。図１０から理解され得るとおり、本例においては、ソート選択肢９１０ａを用いて、アルファベット順に並べられて、楽曲が選択されている。おそらく、このような順序付けによりふさわしいであろうから、この選択においては、番号順のスクラバーバー９０４および番号順のスクラバーバー位置表示マーク９０６は、アルファベット順のスクラバーバー９０４’およびアルファベット順のスクラバーバー位置表示マーク９０６’に置き換えられている。
【００６０】
図１１は、ある典型的な実施形態に関連して用いられ得る「Ｄｉｓｃｏｖｅｒ」画面の具体例を示す図である。Ｄｉｓｃｏｖｅｒ画面によれば、ユーザは、楽曲のカテゴライズされた集合を、ｎｅｗ  ａｎｄ  ｈｏｔ音楽のグループ、ジャンル、または、プレイリストのどれによってブラウズすべきかを、例えば、Ｄｉｓｃｏｖｅｒ機構選択肢１１０２ａ〜１１０２ｃを用いて選択することができる。「ｎｅｗ  ａｎｄ  ｈｏｔ」のＤｉｓｃｏｖｅｒ機構選択肢１１０２ａが選択されているので、コンテンツ領域１１０４において、楽曲のカテゴライズされた集合は、新着アーティスト、新着アルバム、新着楽曲、ジャンルを区別しない全体の最新ヒット曲、ジャンル別の最新ヒット曲、を反映している。上で詳述したようなナビゲーション技術を用いて、さらに別の、楽曲のカテゴライズされた集合がナビゲートされてもよい。各々のカテゴリ内の項目は、例えば、実際のジュークボックスおよび／またはジュークボックスネットワークでの再生、特定顧客向けに編集された音楽の集合、ユーザが生成した音楽のプレイリスト形式のコンテンツなどに基づいてもよい。
【００６１】
図１２は、図１１に示す具体例としての「Ｄｉｓｃｏｖｅｒ」画面から選択され得る「Ｎｅｗ  Ａｒｔｉｓｔｓ」画面の具体例を示す図である。図１２に示す具体例の画面は、図９に示す具体例の画面に類似している。例えば、リスト１２０２は、アーティストの項目とともに提供される。追加の情報（例えば、アルバム作品、Ｃｌｅａｎあるいは反対にＥｘｐｌｉｃｉｔな歌詞であることを示すフラグ、楽曲数など）が提供されてもよい。スクラバーバー位置表示マーク１２０６を伴うスクラバーバー１２０４は、例えば、上述したその他のナビゲーション技術とともに、項目のナビゲーションを支援するために用いられてもよい。ユーザは、例えば、レイアウト選択肢１２０８ａ〜１２０８ｂを用いて、リストビューかテーブルビューかを切り替えることができる。図１２には示されていないが、アーティストをアルファベット順に並べ替える選択肢が提供されてもよい。
【００６２】
図１３は、図１１に示す具体例としての「Ｄｉｓｃｏｖｅｒ」画面から選択され得る「Ｎｅｗ  Ａｌｂｕｍｓ」画面の具体例を示す図である。図１３もまた、図９に示す具体例の画面に類似しており、同一の、類似の、または、異なるユーザインターフェース要素が、例えば、ナビゲーション、並べ替えおよび／またはその他の項目の調整などのために提供されてもよい。図１４は、図１１に示す具体例としての「Ｄｉｓｃｏｖｅｒ」画面から選択され得る「Ｎｅｗ  Ａｌｂｕｍｓ」画面の別の具体例を示す図である。同様に、図１４もまた、図９に示す具体例の画面に類似しており、同一の、類似の、または、異なるユーザインターフェース要素が、例えば、ナビゲーション、並べ替えおよび／またはその他の項目の調整などのために提供されてもよい。しかしながら、アルファベット順のスクラバーバーに関連して、楽曲の人気順に並べ替えることが提供されてもよい。
【００６３】
図１５および図１６は、ある典型的な実施形態に関連して用いられ得る、図１１に示す「Ｄｉｓｃｏｖｅｒ」画面の具体例における別の一覧を示す図である。図１５は、ジャンルによって体系化されたコンテンツ領域１１０４’において、楽曲のカスタマイズされた集合を含む。図１６は、プレイリストによって体系化されたコンテンツ領域１１０４’’において、楽曲のカスタマイズされた集合を含む。
【００６４】
図１７は、ある典型的な実施形態における、選択されたアーティストに対応する「楽曲リストページ」の具体例を示す図である。図１７は、アーティストＱｕｅｅｎの楽曲のリストを具体例として示す。入手可能な楽曲のカタログにおいて、２０６曲の楽曲が提供されることを意味する表示が提供される。上述の例のように、楽曲リストは、リストビューで提供されてもよいし、グリッドビューで提供されてもよい。ユーザは、上述したようなやり方で、返答された項目の至る所をナビゲートすることができる。アルバム関連作品および個々の楽曲項目についての追加の情報もまた、例えば上述のように提供されてもよい。ユーザは、アルファベット順または人気順に項目を並べ替えることもできるし、アルバム一覧と楽曲一覧とを切り換えることもできる。図１７に示す具体的な画面へは、例えば、図３、図６〜図８、図１０〜図１６および図１８において示された具体的な画面から、（できれば、単一のユーザインタラクションにて、例えば、アルバム、アーティスト、プレイリスト、コレクション、または、その他の適切な要素が選択されることにより）遷移し得る。
【００６５】
図１８は、ある典型的な実施形態における、選択されたアーティストに対応する「アルバムリストページ」の具体例を示す図である。図１８は、Ｑｕｅｅｎのアルバムリストを具体例として示す。繰り返すと、入手可能な楽曲のカタログにおいて、２０６曲の楽曲が提供されることを意味する表示が提供される。これに代えて、あるいは、これに加えて、入手可能なアルバムの表示が提供されてもよい。図１８における、表示、ナビゲーション、およびその他の機能は、例えば、図１７に関連して上述したのと同様である。図１８に示す具体的な画面へは、例えば、図３、図６〜図８、図１１、図１２、および図１５〜図１７において示された具体的な画面から、（できれば、単一のユーザインタラクションにて、例えば、アルバム、アーティスト、プレイリスト、コレクション、または、その他の適切な要素が選択されることにより）遷移し得る。
【００６６】
図１９は、図１８に示す具体例としての「アルバムリストページ」から選択されたアルバムに対応する詳細画面の具体例を示す図である。図１９は、例えば、図１８からユーザがアルバムを１つ選択した場合に表示され得る画面を具体的に示している。アルバム作品にしたがって、そのアルバムの楽曲が表示される。ある典型的な実施形態においては、上述したようなナビゲーション、並べ替え、および、その他のオプションを実行することができる。追加情報要素１９０２を押下することによって、ユーザは、入手可能なＱｕｅｅｎのアルバムおよび／または楽曲のリストを「ズームアウト」したり、受け取ったりすることができる。
【００６７】
１つの楽曲が選択されると、例えば状況に応じて、図２０〜図２３のうちのどれか１図に示されているような画面がユーザに対して提示されてもよい。図２０〜図２３は、ある典型的な実施形態における「再生画面」の具体例を示す図である。これらの再生画面は、アルバム作品などに加えて、楽曲名およびアーティスト名の文字の記述も含んでいてもよい。望ましくは、あるいは、法律上の必要性に応じて、著作権情報も表示されてもよい。
【００６８】
図２０に示すとおり、ここでは使用可能なクレジットがない。したがって、ユーザは、Ｐｌａｙ（再生）操作および「Ｐｌａｙ  Ｎｅｘｔ（次を再生）」の操作のために、クレジットを投入するように促される。「Ｐｌａｙ  Ｎｅｘｔ」の操作によって、ユーザは、キューの中に、場合によっては次の位置に、楽曲を入れるための代金を支払うことができる。ユーザは、増加するキューを明示するために、例えば、ある典型的な実施形態において、ある期間内において再生を「固定」するために、数曲の楽曲の再生を「固定」するために、および／または、それと同様の再生「固定」のために、さらなる数のクレジットを支払ってもよい。図２０に示されるとおり、支払いは、現金で、クレジットカードで、デビットカードで、および／または、それらの類のもので、なされてもよい。図２０の具体例としての画面は、モーダルな（例えば、ユーザが、特定の項目を、閲覧したり、再生を決定したり、これまでしてきたある動作を行ったりすることができないということを、ユーザに分からせる状態にして、ユーザが最終的なゴールまで到達するようにユーザを支援するような）画面として実現されてもよい。モーダルなウィンドウは、一般的に四角形であってもよいし、コンテンツ領域の余剰領域上にポップアップ表示されてもよいし、ウィンドウ内にコンテンツ領域を有していてもよいし、モーダルな閉じるボタンを有していてもよいし、モーダルなウィンドウの中央に向けてユーザを分かりやすく導くなどのために、コンテンツの余剰領域上の透明な重畳ウィンドウと組み合わせられてもよい。
【００６９】
図２１は、２つのクレジットが使用可能な場合の例を示している。この具体例においては、楽曲を再生するのに２クレジットがあれば十分であるが、「Ｐｌａｙ  Ｎｅｘｔ」操作を行うためにはクレジットが不足している。したがって、「通常の」再生を可能にする制御要素が提供されるが、図２０に示すような支払いを要求する情報が、「Ｐｌａｙ  Ｎｅｘｔ」操作の表示とともにグループ化される。このような配置によって、ユーザは、現在のクレジット数で、どの選択肢が利用可能であるのかを理解しやすいし、選択を有効にするために追加のクレジットが必要なのはどの選択肢であるのかを理解しやすい。
【００７０】
図２２は、「通常の」楽曲再生および「Ｐｌａｙ  Ｎｅｘｔ」の操作を行うのに使用可能なクレジットが十分ある場合の例を示している。したがって、それぞれの選択肢を有効にするための要素が提供される。これらの要素は、見た目が類似しているが、「Ｐｌａｙ  Ｎｅｘｔ」操作の要素は、テープ、ＣＤ、ＤＶＤ、または、その他の再生装置において見られる従来の「早送り」タイプのボタンにより類似している。これにより、再生アプローチとの違いを視覚的に強調することができる。
【００７１】
図２３は、ユーザが、作成されているプレイリストに楽曲を追加できる場合の例を示している。ある典型的な実施形態において、この選択肢は、登録されたユーザのみが選択可能であってもよい。他の実施形態では、ユーザが、使用可能なクレジットを、複数の楽曲を再生するのに十分な数保有している場合にのみ、上記選択肢を選択可能にしてもよい。また、この再生リストの選択肢によって、ユーザは、複数の楽曲が特定の順番などで再生されることを保証することができてもよい。
【００７２】
再生のためのその他の有料の選択肢が、上述のやり方、および／または、類似または非類似のやり方で提示されてもよいことに注意されたい。例えば、１つの施設または複数の施設に亘って、１以上の特定のエリアにおいて楽曲を再生するトリガを入力するための代金をユーザが支払うことができるような選択肢が提供されてもよい。
【００７３】
図２４は、ある典型的な実施形態におけるｍｙＴｏｕｃｈＴｕｎｅｓログイン画面の具体例を示す図である。この具体的な画面は、例えば、上方のステータスバーにあるＬｏｇｉｎ（ログイン）ボタンが押下された場合に、表示される。見えているとおり、未登録ユーザは、画面上方の部品によって（例えば、ＳＩＧＮ  ＵＰ（サインアップ）要素２４０２を押下することによって）、アカウントを取得するための登録を行うことができる。すでに登録済のユーザは、対応テキスト入力領域２４０４ａおよび２４０４ｂに、（例えば、キーボード２４０６を用いて、そして、ＥＮＴＥＲ要素２４０８を押下して、）ユーザ名とパスワードとを簡単に入力することができる。使用期限および使用条件およびそれに類するものが、２４１０の要素を押下したユーザに対して提供されてもよい。
【００７４】
ＲＥＤＥＥＭボタン２４１２が押下されることによって、場所から、操作者から、ジュークボックス提供者から、広告主から、および／または、その他の団体から提供された、
ジュークボックスの販売促進コードが、サービスとの引き換えのために使用されてもよい。販売促進コードは、ジュークボックスを無料で使用する権利や、他の隠されたプレイリストおよび／または音楽セレクション、特別な広告、特注のマルチメディア、および／または、その他のメッセージなどにアクセスする権利などをユーザに与える。入力された反版促進コードは、中央サーバおよび／またはその他の場所のローカルに保存されたデータベースの各項目と突き合わせてチェックされ、ジュークボックスは、成功した検索操作に基づいて、適切な動作を実行するように制御されてもよい。
【００７５】
Ｍｏｂｉｌｅ   Ｃｏｄｅ（モバイルコード）２４１４が生成されてもよい。Ｍｏｂｉｌｅ   Ｃｏｄｅ２４１４は、例えば、ユーザが、ジュークボックスについての特別な情報のサイトにアクセスすること、新しいアカウントによる次の登録を引き続き行うこと、および、コードを入力することによって、自身が特別なジュークボックスにログインできるようにすることなどを可能にする。
【００７６】
図２５〜図４７において提供されている具体例としてのスクリーンショットに関連して、その他の具体的なユーザインターフェース例を以下に開示する。上述の（具体的には、例えば、図３〜図２４に関連して開示されたユーザインターフェースの具体例における）機能の多くは、本具体例におけるユーザインターフェースに対しても採用され得る。したがって、ある要素については、説明を短縮したり省略したりするが、その意味するところは、当業者に理解されるであろう。
【００７７】
図２５は、ある典型的な実施形態に関連して他のユーザインターフェース要素が配置され得る画面についての具体例の概要を示す図である。換言すれば、本具体例のレイアウトにおける、最上段にあるユーザインターフェース要素および底部にあるユーザインターフェース要素は、以下で説明されるさまざまな選択および更新された表示によって維持され得るということを理解されたい。この具体例の画面は、現在再生中の楽曲を表す表示を含んでいる。楽曲は、アーティストＫｅ＄ｈａによる「Ｙｏｕｒ  Ｌｏｖｅ  Ｉｓ  Ｍｙ  Ｄｒｕｇ」であり、その他のアーティスト専用のページが選択されていないので、背景画面は、Ｋｅ＄ｈａの画像を含んでいる。この作品は、明らかに、再生中の楽曲のアーティストと一致しており、この作品は、アーティストによって、レコードレーベルによって、または、その他の団体によって、提供されてもよい。しかし、この作品は、当業者によって共通に用いられる用語としての「アルバム作品」と結び付けられてもよいし、必ずしも結び付けられない。例えば、本作品は、ジュークボックスの提供者の音楽部門によって供給されてもよい。これは、近ごろの「ツィートされた」画像に対応している。「ツィートされた」画像というのは、変形されたりされなかったり、あるいは、その他の画像が、このアーティストのソーシャルメディアページから取り出されたりされなかったりするものである。図２５に示す具体例の上方のバー領域を再度参照すると、スポンサーの広告が表示されており、クレジットメーター、および、クレジットの購入の仕方についての情報も表示されている。図２５に示す具体例において、下方のバー領域において、スポンサーのより小さな広告も表示されてよい。これらの広告の１つまたはその両方は、再生中の楽曲に適合していてもよい。ある典型的な実施形態において、ホームページにおいて示されている画像は、それが有効化されるたびに、ランダムに選択されたアーティストの画像を表示するものであってもよい。ジャンルによるフィルタリングがなされた場合には、これにより、特定ジャンルに対応するとしてタグ付けされた特定のアーティストが表示されず、したがって、画像が表示されないということを、ほのめかす。ある典型的な実施形態において、ランダムに選択するよりはむしろ、あらかじめ定義された順番で複数の画像をループして表示することが実施されてもよい。いくつかのケースにおいて、例えば、背景をすっきりした状態に維持すること、および、背景を使いやすい状態に維持することなどのために、アーティスト画像を表示することが望ましくない場合もある。具体的には、ジャンル、ｎｅｗ  ａｎｄ  ｈｏｔプレイリスト、並びに、検索画面および場合によっては任意のそれぞれのサブ画面においては、全面的な明確性のためには、背景のアーティスト画像を使用しない方が望ましいケースもあり得る。
【００７８】
図２５の具体例において、下方のバー領域に、第１レベル制御アイテム２５０２ａ〜２５０２ｃが水平に配置されて示されている。これらの第１レベル制御アイテム２５０２ａ〜２５０２ｃによって、ユーザは、ジュークボックスのモードをさまざまに切り換えることが可能となる。例えば、１つ目の第１レベル制御アイテム２５０２ａによれば、ユーザは、音楽関連機能にアクセスすることができる。２つ目の第１レベル制御アイテム２５０２ｂによれば、ユーザは、フォトブース関連機能にアクセスすることができる。そして、３つ目の第１レベル制御アイテム２５０２ｃによれば、ジュークボックスの追加の機能（追加の機能には、例えば、カラオケ機能、法律上のあるいはその他の権利関係の情報、ヘルプ機能などが含まれる）にアクセスすることができる。第１レベル制御アイテム２５０２ａ〜２５０２ｃの一部またはすべては、具体的に選択された第１レベル制御アイテムに関連してさらなる選択を可能にするために、展開可能であってもよい。図２５の具体例において、１つ目の第１レベル制御アイテム２５０２ａが選択され（したがってハイライトされ）、第２レベルアイテム２５０４ａ〜２５０４ｄが、下方のバー領域に沿って、拡張されて示されている。これらの第２レベルアイテム２５０４ａ〜２５０４ｄのそれぞれによって、ユーザは、それぞれ、プレイリストのコレクション、「ｎｅｗ  ａｎｄ  ｈｏｔ」アイテムのコレクション、ジャンルのコレクション、および、検索インターフェースにアクセスすることができる。これらの機能の中身については、ここの開示内容から理解されるであろう。
【００７９】
ある典型的な実施形態において、第１レベル制御アイテム２５０２ａ〜２５０２ｃのすべてと、第２レベルアイテム２５０４ａ〜２５０４ｄのすべてとは、同時に表示されてもよい。垂直方向のサブメニューが提供されてもよい。これにより、いくつかの他のメイン以外のジュークボックス関連機能（例えば、言語、ｍｙＴｏｕｃｈＴｕｎｅｓ、ＴｏｕｃｈＴｕｎｅｓについて、ヘルプなど）にアクセスすることが可能となる。ある典型的な実施形態において、ナビゲーション／動作の観点から、各々の要素は、選択されると、アプリケーションのサブメニュー（例えば、第２レベルアイテム２５０４ａ〜２５０４ｄとして示されている）を展開してもよい。あるいは、サブメニューがない場合には、その代わりに、所望のアプリケーションを全画面表示（例えば、上段と下段のバーは維持されるが、例えばフォトブースアプリケーションなどのアプリケーションのメインコンテンツが、メインコンテンツ領域上を占有するようなモード）で表示してもよい。各々のボタンは、いくつかのあらかじめ定義されたアプリケーション（例えば、フォトブース、カラオケ、ゲームなど）を通じて回転してもよい。
【００８０】
図２６は、ある典型的な実施形態における、図２５に示す具体的なレイアウト画面に重畳表示された回転トレイを示す図である。図２６の具体例に示す回転トレイは、さまざまなプレイリストを含む。該プレイリストは、上述したように、特定顧客向けに編集されていてもよい。検索アイコンがより大きい状態のまま、場所の情報（本例では、Ｃｏｙｏｔｅ  Ｕｇｌｙ）が提示されてもよい。プレイリストは、タイルによって表されている。そして、ユーザは、左右の矢印ボタンを押下することによって、あるいは、ポインティングデバイス、指などを用いて左右にスワイプ操作を行うことによって、タイルからタイルへとナビゲートしてもよい。例えば、いくつかの実施形態では、タッチスクリーンディスプレイデバイスが採用される。図２７は、ある典型的な実施形態における、（例えば、図２６に示す少なくともいくつかのタイルに対して、ユーザが、「フリップスルー」操作を行った後の、）更新された回転トレイを示す図である。
【００８１】
各タイルの内容は、そのタイルが表している、元の各プレイリストの内容に基づいていてもよい。画像および／またはテキストが提供されてもよい。例えば、「ＥＬＥＣＴＲＯＮＩＣ」プレイリストの機能は、Ｌａｄｙ  Ｇａｇａ、Ｄａｆｔ  Ｐｕｎｋ、Ｋａｎｙｅ  Ｗｅｓｔ、および、Ｍｉｌｅｙ  Ｃｙｒｕｓなどを含むアーティストの音楽を含んでいる。したがって、本具体例においては、テキストおよび画像の情報は、タイルの中に示されている。図２６の具体例に示すとおり、それぞれ取り上げられているアーティストの画像が、あらかじめ定義された形式（例えば、三角形の領域）に表示される。これらの画像は、アーティストに関するものであるが、必ずしも、「アルバム作品」と結び付いている必要はない。例えば、Ｍｉｌｅｙ  Ｃｙｒｕｓの画像は、彼女の「Ｂａｎｇｅｒｚ」ツアーのときに撮影された画像が表示されてもよい。Ｋｉｍ  Ｋａｒｄａｓｈｉａｎとともに写ったＫａｎｙｅ  Ｗｅｓｔの写真および／またはＮｏｒｔｈ  Ｗｅｓｔの写真が表示されてもよい。これらの画像が元のアルバムに関連付けられていなくとも、これらの画像は、ファンにとっては「響く」あるいは、そうでなくても、ファンに意図およびカスタマイズ内容を伝達する。これらの画像は、例えば、中央の音楽部門、そのアーティスト、レコードレーベルなどによって、更新可能であってもよい。これにより、画像が有意義なものとして維持される。画像データおよび／またはプレイリストコンテンツを更新する機能は、有意義なかつ関連する時間枠において配信されるより動的なコンテンツに対して貢献がある。ある典型的な実施形態において、例えば、プレイリストおよび／またはプレイリストのコンテンツが、（例えば、発覚した現在のイベントのために）変更されたとすると、これに伴って、異なるテキストおよび／または画像の情報についての提案が、同じプレイリストまたは別のプレイリストに対して表示される。例えば、Ｍｉｃｈａｅｌ  Ｊａｃｋｓｏｎの死は、彼の死に関連する「ざわめき」が依然存在していた期間と関連がある、カスタマイズされたプレイリストに関連付けられていたのかもしれない。Ｍｉｌｅｙ  Ｃｙｒｕｓの舌の画像は、以下の彼女の２０１３ＶＭＡのパフォーマンスに関連があったかもしれない。現在のところ、Ｍｉｃｋ  Ｊａｇｇｅｒは、彼の長年の恋人Ｌ’Ｗｒｅｎ  Ｓｃｏｔｔの明白な自殺について、数週間の間、報道の的になっているかもしれない。その他の例としては、Ｋａｔｙ  Ｐｅｒｒｙは、ポップチャートと「ニュースになること」とで、トップにとどまっているけれども、彼女の行為の動機は、変化していてもかまわない。そして、そのことによって、作品は、彼女の「Ｒｏａｒ」の音楽ビデオに関連付けられていた画像から、彼女の「Ｄａｒｋ  Ｈｏｒｓｅ」へと変化してもよい。「Ｄａｒｋ  Ｈｏｒｓｅ」は、彼女のプリズマティックツアーおよび／または彼女の努力に結び付けられており、該彼女の努力とは、その年の指名されたアーティストになること、および／または、ｉＨｅａｒｔＲａｄｉｏ  Ｍｕｓｉｃ  Ａｗａｒｄｓにおける年間楽曲賞を獲得することに向けられている努力である。こうして、以下のことが理解されるであろう。ある典型的な実施形態における��像は、レーベルに属していてもよいし、あるいは、その他の団体に属していてもよいが、特定のアルバムから抜粋されたものである必要はない。そして、アルバム作品と関係がない画像が、ここで開示されるユーザインターフェースの具体例における適切な場所において採用され得る。
【００８２】
ある典型的な実施形態において、中央の記憶場所には、画像情報、プレイリスト情報、および／または、それらと同様のものが集約されていてもよい。これに関連して、構造化情報（例えば、ＸＭＬファイル、データベースなど）および／またはそれと同様のものが、採用されてもよい。該構造化情報は、プレイリストの内容、プレイリストの項目にマッピングされている画像、プレイリストのそれぞれのタイルの構成要素となるように選択されてフラグが付与された項目などを含む。前記情報は、個々のジュークボックスによって、あらかじめ決められた間隔で、および／または、オンデマンドでダウンロードされてもよい。前記情報は、認可されたソースなどから、更新のたびにおよび／またはトリガが発生するたびに、プッシュ式でジュークボックスに転送されてもよい。
【００８３】
図２６に示す具体例において、それぞれのタイルは、タイル画像とタイルバーとを含んでいる。画像は、以下に具体例として示される規則に基づいて、動的に生成されてもよい。権限のあるユーザによって画像が手動で選択された場合、その画像が表示される。この画像は、コンテナからそのまま取得されたものであってもかまわないし、動的に生成されたタイトルバーなどが付随する画像の一部スペースを単に使うのでもかまわない。回転トレイにおいて、コンテンツの一部に対して定義された画像に手動の画像が１枚もない場合、システムは、コンテンツリスト内の、動的なタイトルバーに沿って表示されている楽曲のうちの「話題になっている作品」を見つけてデフォルト画像に設定してもよい。そのような画像は、ランダムに選択されてもよいし、プレイリストの初めに現れる項目に基づいて選択されてもよいし、そのプレイリスト（例えば、ジュークボックスネットワーク上で再生される期間、ラジオ再生期間、現場での再生期間など）において最も人気のある項目に基づいて選択されてもよい。「話題になっている」としてマーキングされている作品がない場合、回転トレイは、最も人気のある楽曲をリストの中から選択し、その楽曲が収録されている、動的タイトルバーを持つアルバム作品を表示してもよい。図２６の具体例において示すタイトルバーは、動的に生成された「黒いバー」である。この「黒いバー」は、画像の上に重畳されており、このバーの上に数行のテキストを表示する。この具体例においては、コレクションの中の楽曲がいくつあるかが表示されている。
【００８４】
図２８は、ある典型的な実施形態における、新着の楽曲がキューに追加された場合に施され得る、図２７に示す具体的な画面に対する更新を表す図である。つまり、「ｎｏｗ  ｐｌａｙｉｎｇ」表示３１０が少なくとも一時的に新しく追加された項目３１０’に置き換わってもよい。この場合、作品および楽曲を示すテキストは、その作品および楽曲に関連する画像とともに提供される。繰り返すが、この画像は、ある典型的な実施形態においては、「アルバム作品」（例えば、ある典型的な実施形態において、プレイリストの最初の楽曲に関連付けられているアルバム作品）であってもかまわないが、「アルバム作品」である必要は必ずしもない。キューに楽曲を追加する方法もまた表示されてもよい。例えば、図２８に示す具体例において、ジュークボックス自体によって追加されるよりも、むしろ、携帯電話のアプリケーションを介して楽曲が追加されたことを表す表示が提供されてもよい。ある典型的な実施形態において、携帯電話が使われた事実が公表されてもよいし、一方、ジュークボックス自体が使われた事実は公表されなくてもよい。これにより、携帯電話のアプリケーションへの意識を高めることができ、他の人にダウンロードしようという気を起こさせることができる。例えば、会員登録して、ジュークボックスの登録済みユーザになろうという気を起こさせることができる。選択を行ったユーザが、登録済みのユーザである場合、ユーザ名、ニックネーム、アバターおよび／またはその他の識別情報が表示されてもよい。これは、ある典型的な実施形態において、ジュークボックスに対する選択がモバイル装置などを介してなされたのか否かにかかわらず、表示されてもよい。他の典型的な実施形態において、ユーザがジュークボックスから選択した場合には、そのユーザの識別情報が表示されないようにしてもよい。ある典型的な実施形態では、登録済みのユーザは、選択を行ってキューに追加した際、名前やその他の識別情報が表示されることを選ぶことができてもよいし、表示されないことを選ぶことができてもよい。
【００８５】
ユーザが、「ｎｏｗ  ｐｌａｙｉｎｇ」表示３１０または新規追加項目３１０’の表示を選択したり、あるいは、ユーザが、ある典型的な実施形態において、その表示３１０’の左側にある矢印を選択したりした場合、例えば、図２９に示されているように、ジュークボックスのキューの部分が開示されてもよい。つまり、図２９は、ある典型的な実施形態における、キューの一部分を開示するのに適するように変形された、図２８に示す画面のスクリーンショットの具体例を示す図である。図２８と図２９とを比較すると、図２８の画面が「右にシフト」して、開示されるキューの領域のための場所を空けていることが分かる。ユーザは、ｐｌａｙｉｎｇ  ｎｅｘｔ要素を選択すること、画面右側の要素をタッチまたはその他のインターフェースによって左へ「ドラッグすること」、開示されたキュー領域において専用に設けられた閉じるボタンを選択することによって、開示されたキュー領域を「閉じる」ことができる。ある典型的な実施形態において、ジュークボックスは、「無料で」、キューの中の要素の所定の数について詳細を開示してもよい。詳細とは、例えば、楽曲／アーティストの一部またはすべての情報、画像、曲のテンポ、などを含む。ある典型的な実施形態において、追加の楽曲および／または楽曲の追加の詳細情報を見るために、ユーザが、クレジットを支払わなくてはならないようにしてもよい。つまり、ある典型的な実施形態は、キューにおける次のＸ個の楽曲について詳細情報の全部を示し、さらに次のＹ個の楽曲の詳細情報を部分的に示し、その次のＺ個の楽曲については、さらに少ない量の情報を示し、それ以降については一切情報を示さない、というようにしてもよい。しかしながら、ユーザは、異なる典型的な実施形態において、情報を次々と開示させるために追加のクレジットを支払うことができる。
【００８６】
図２９の具体例に示すとおり、次の５曲分の情報が提供されている。この情報には、楽曲およびアーティスト名や、その楽曲および／またはアーティストに関連付けられた作品が含まれている。ある典型的な実施形態において、上述と同様に、（例えば、モバイル装置を介して）楽曲が選択されたことを表す情報が表示されてもよい。ある典型的な実施形態において、ユーザは、後に再生される楽曲、および、これらの５曲よりも前にすでに再生された楽曲にアクセスするためにスクロールアップまたはスクロールダウンの操作を行うことができる。ある典型的な実施形態において、ユーザが、キューにある５曲よりも多くの項目を見たい場合には、６番目の項目を部分的に示し、それから、キューにある次の５曲の項目を示す一覧にスナップバックする。すでに再生された楽曲にアクセスする機能は、楽曲を特定できないけれども、ジュークボックスにアクセスできて、先に再生された楽曲を「検索」する能力があるユーザにとっては有益である。例えば、図３０は、先に再生された楽曲を示す。ある典型的な実施形態において、先に再生された楽曲の情報は、無料で提供されてもよい。ある典型的な実施形態において、もうすぐ再生されることについての情報は、ジュークボックスにローカルに保存されているジュークボックスのキューから取り出されてもよい。先に再生されたことについての情報は、再生された楽曲のリストから取り出されてもよい。このリストは、ロイヤリティおよび／またはアカウント機能においても、また、定期的な間隔（例えば、店舗の閉店時、ジュークボックスに更新が提供される定刻、ロイヤリティおよび／またはアカウント情報が中央サーバに転送されるときなど）ごとに、データが空にされるキューを実行しながら複製することにおいても用いられるリストである。
【００８７】
ある典型的な実施形態において、５つのスロットにフィットするように、キュー内に十分な数の楽曲がない場合、空のスロットは、グレーの箱に置き換えられてもよい。キュー内に入っている楽曲がゼロの場合、それでも、ユーザが、ｓｈｏｗ  ｑｕｅｕｅボタンをクリックして、キュー領域を示すことができてもよい。しかし、このとき、楽曲を検索して、検索した楽曲をキューに追加することを、ユーザに促すメッセージが提供されてもよい。このボタンが選択されることによって、キューは最小化され、これにより、ユーザは、引き続き、音楽の体験を閲覧することができる。
【００８８】
図３１は、図４に関連して示されたおよび上述されたＳｅａｒｃｈ画面と同様に、Ｓｅａｒｃｈ画面を示す図である。図３２は、典型的な実施形態における、検索結果画面の具体例を示す図である。図３２に示すとおり、別々に線形に配置されたタイル３２０２ａ〜３２０２ｂが楽曲およびアーティストについて示されている。制御要素３２０４は、楽曲およびアーティストについて、タイルの線形配置３２０２ａ〜３２０２ｂの両方を表示するのか、楽曲の配列３２０２ａだけを表示するのか、３２０２ｂだけを表示するのかを制御するのに用いられてもよい。同様の結果を得るために、ユーザは、ＳＯＮＧＳタイル３２０６ａまたはＡＲＴＩＳＴＳタイル３２０６ｂを選択してもよい。異なる典型的な実施形態において、検索結果は、１列１列独立して、あるいは、１つの要素としてまとめて左右にスクロールすることができてもよい。
【００８９】
前記のふるまいの具体例として、図３３は、典型的な実施形態において、例えば、制御要素３２０４のうち、ＡＲＴＩＳＴＳタイル３２０６ｂが選択された場合、または、対応する要素が選択された場合に、拡大されたアーティストの表示の具体例を示す図である。この表示から分かるように、タイル３２０６ｂ’は、検索結果の行が、２行とも楽曲ではなくむしろアーティストを含むということを反映するように展開されている。
【００９０】
図３２および図３３の差異として認められているとおり、検索タームは「ＥＬ」で、検索結果はこの文字列を含んでいる。しかしながら、すべての典型的な実施形態において、結果は、アルファベット順にはリスト化されていない。その代り、検索結果は、別の選択肢の数を考慮して、優先順位が付けられていてもよい。例えば、検索結果は、現場での分析および／または現場から離れたところでの分析に基づいて操作されてもよいし、および／または、音楽部門、レーベル、個々の現場などによって実行された販売促進を反映するように、操作されてもよい。音楽部門が、Ｅｌｉ  Ｙｏｕｎｇ  Ｂａｎｄの周りには多くのうわさが飛び交っている、ほとんどいつもＥｌｖｉｓ  Ｐｒｅｓｌｅｙの音楽に関心が集まる、そして、しばしばラテン音楽が特定の場所で再生される、と理解しているとする。この場合、検索結果は、Ｅｌｉ  Ｙｏｕｎｇ  Ｂａｎｄと、Ｅｌｖｉｓ  Ｐｒｅｓｌｅｙのタイルが、結果のリスト上に早めに登場するように「最適化される」。一方、「ＥＬ」のテキストを含むラテンのアーティストは、非ラテンアーティストよりも優先される。残りのコンテンツは、「普通の」アルファベット順の検索結果に含められる。このようにして、おそらく、ユーザは、自身が聞きたいと思ってもいないような音楽に遭遇する可能性がより高くなる。なぜなら、例えば、音楽は、うわさを呼び寄せるものであり、特定の場所で頻繁に再生されるものだからである。こうして、ある典型的な実施形態は、スマートサーチを実現することが理解されるであろう。スマートサーチは、販売促進された楽曲を初めに表示することを支援するものであり、該スマートサーチにおいては、検索結果が特定の場所内で、楽曲の人気度に応じて変化する。
【００９１】
図３４および図３５は、典型的な実施形態において適用される検索完了を示す画面の具体例を示す図である。分かるとおり、さらなる文字が入力されている。フェードアウトする結果もあれば、その他には、それにとって代わってフェードインする結果もある。検索領域に、さらにたくさんのテキストが入力される。そして、結果は、徐々に少なくなっていく。タイルの置き換えが、減っていき、タイルの除去が行われるようにしてもよい。図３４は、タイルの置き換えおよび制限されたタイルの除去の具体例を示す図である。図３５の具体例においては、条件に正確に合致するものが１つあって、「良好性」の欠如または高次マッチング結果と結び付けられる検索文字列の特異性から、表示されるのはこれがすべてである。
【００９２】
図３６は、ある典型的な実施形態における、特定アーティストのページの具体例を示す図である。図３６の画面は、図３５に示すアーティストリストからＥｌｌｉｅ  Ｇｏｕｌｄｉｎｇが選択されたことにより、遷移する画面である。画面遷移が起こるとき、Ｋｅ＄ｈａの音楽がまだ再生されていたとしても、背景のＫｅ＄ｈａの画像は、Ｅｌｌｉｅ  Ｇｏｕｌｄｉｎｇ関連画像にとって代わられる。この関連画像は、アルバム作品に関連付けられているものであってもよいし、関連付けられていなくてもかまわない。例えば、アーティスト専用ページが表示されるときにも、その他の変更がなされる。例えば、おすすめの関連アーティストが特定され、それらが制御要素３６０２ａ〜３６０２ｃを用いて選択されてもよい。おすすめの関連アーティストのリストは、任意の適切な方法で決定されてもよい。例えば、ジュークボックスの利用状況、アルバムおよび／または楽曲の売り上げ状況から集められた分析結果は、アーティストおよび／またはアルバムに関連してクラスタごとにまとめるのに利用されてもよい。これに代えて、あるいは、これに加えて、音楽のスタイル、リリース日の情報における近似性、ニュースメディアの関連性、同じレーベルのアーティスト、および／または、これらと同類のものが、関連性およびおすすめの項目を生成するのに用いられてもよい。前記音楽のスタイルは、例えば、曲のテンポ、楽器の編成、ボーカル、総合的な「音」の概要、「Ｂｏｙ  Ｂａｎｄｓ」などの特定のサブジャンルにおけるアーティスト、あるいは、これらと同等のものなどである。前記ニュースメディアの関連性とは、例えば、Ｔａｙｌｏｒ  ＳｗｉｆｔとＥｄ  Ｓｈｅｅｒａｎとのデュエットやコラボレーションであったり、ベストアーティストまたはベストボーカルグループなどの、同一または類似の賞を争っている競争者たちであったり、Ｊｕｓｔｉｎ  ＢｉｅｂｅｒおよびＳｅｌｅｎａ  Ｇｏｍｅｚなどのように、現在および／または過去における音楽上の「カップル」であったり、Ｌａｄｙ  ＡｎｔｅｂｅｌｌｕｍおよびＫａｃｅｙ  Ｍｕｓｇｒａｖｅｓのようにツアーを共催しているグループであったり、Ｐｉｓｔｏｌ  ＡｎｎｉｅｓおよびＭｉｒａｎｄａ  Ｌａｍｂｅｒｔ、あるいは、Ｄａｖｉｄ  Ｌｅｅ  ＲｏｔｈおよびＶａｎ  Ｈａｌｅｎなどのような「スピンオフグループ」であったりする。したがって、経験に基づくデータと主観的な意見との組み合わせが、音楽部門、レーベル、またはその他の団体によって、このようなおすすめを生成するのに用いられ得るということが理解されるであろう。また、制御要素３６０２ａ〜３６０２ｃのうちの１つを用いて別のアーティストが選択された場合には、それにしたがって、画面が更新されるということも、当業者によって、理解されるであろう。
【００９３】
アーティストによって演奏される楽曲は、楽曲リスト３６０４において一覧表示されてもよい。そして、そのアーティストに関連付けられたアルバムは、アルバムリスト３６０６に一覧表示されてもよい。楽曲の数の表示が提供されてもよい。特定の楽曲を再生するためにクレジットがいくら必要かということを表す表示も同様に提供されてもよい。リスト中の「ｐｌａｙ（再生）」ボタンは、ｐｌａｙ画面をアクティブにするために用いられてもよい。例えば、ＮＥＷ（新着）タグ３６０８などのようなものが、販売促進されているあるいは話題になっている項目を強調表示するために用いられてもよい。例えば、「ＦＥＡＴＵＲＥＤ（特集）」、「ＨＯＴ（最新）」、「ＳＰＯＮＳＯＲＥＤ（スポンサー付）」および／またはこれらと同様のものが、その他のタグとして、上述のタグと同様に用いられてもよい。メタ情報が楽曲に関連付けられており、該メタ情報が、詳細な内容（例えば、何のタグが適用されているか、そのタグが表示される関連期間など）を指定してもよい。
【００９４】
楽曲リスト３６０４にある楽曲は、人気度に基づいてソートされるものとして示されている。人気度は、例えば、オンエア、ダウンロード、チャートの場所、売上などのような、客観的な手段によって測定されてもよい。人気度に基づくソートアプローチは、さらに、変形されてもよい。例えば、実際の人気度に拘わらず（また、人気度がどのようにして測定されたのかに拘わらず）、販売促進されている楽曲がリストのトップに表示されるようにするなどである。このことは、例えば、チャートのトップに届いていないけれども、うわさが大量に飛び交っていて、チャートのトップになる可能性があるような、新着の楽曲にとって有利である。キャリアが長いアーティストであって、そのアーティストについて、ユーザが何を検索しているのかを、さらに客観的な人気度の測定手段によって表すことができないようなアーティストにとっては、さらに主観的な測定手段も助けとなり得る。例えば、Ｕ２の「Ｉｎｖｉｓｉｂｌｅ」は、現在のところ、例えば、ビルボードチャート上のランクの観点から、いくつかのこれより古い楽曲よりも人気があると言えるかもしれない。しかし、「Ｐｒｉｄｅ（Ｉｎ  ｔｈｅ  Ｎａｍｅ  ｏｆ  Ｌｏｖｅ）」または「Ｏｎｅ」ほど著名ではない。そして、Ｕ２のアーティストページにアクセスした人々は、さらに主観的な順番並べを再度行わなかったら、自分が探しているものを依然見つけられないというような状況に陥るであろう。その他の順番並べの技術が採用されてもよい。例えば、図３７に示すように、リリース日順に、アルファベット順に、および／または、これらと類似のもの順に、楽曲を並べ替えるために、ドロップダウンメニュー３７０２が用いられてもよい。これに関連して、図３８は、アルファベット順にソートされたばかりの再順序付けされた楽曲リスト３６０４’を含む。
【００９５】
例えば、ユーザは、図３６において部分的にしか示されていないアルバムリスト３６０６のさらに詳細を閲覧するために、画面のフォーカスを右へシフトさせることができる。これに関連して、図３９は、ある典型的な実施形態における、展開されたアルバム一覧を示す画面の具体例を示す図である。図３６において示される具体例についてのアルバム一覧がこのように展開されてもよい。アルバム一覧において、アルバムセレクションの中から、全部で４つのＥｌｌｉｅ  Ｇｏｕｌｄｉｎｇのアルバムが展開されている。アルバムは、任意の順番で配置され得る。例えば、リリース日、人気度（上述したやり方のうちの１つによって、および／または、その他のやり方で測定されたもの）、販売促進などに基づく順番で配置されてもよい。図３６に示す例において、アルバム「ＬＩＧＨＴＳ」は、領域３９０２に展開され、これにより、スクロール可能なそのアルバムにおける再生可能な楽曲のリストが明らかにされる。そして、選択されなかったアルバムは、領域３９０４において、より縮約された形式にて表示される。
【００９６】
別のアルバムが選択されると、図４０に示されるように、これまで展開されていた領域３９０２が、冒頭の縮約領域３９０４ａに縮約されて、残りの選択されていない要素が、第２の縮約領域３９０４ｂにおいて示される。そして、新たに展開される領域３９０２’が選択された具体例について提供される。こうして、楽曲のスクロール可能なリストが、前記新たに展開される領域３９０２’において示される。ここで、この典型的な実施形態においては、アルバムの再順序付けは実施されない。その他の典型的な実施形態において、例えば、具体的には、展開されたアルバムが常に、図３９における最も左の領域３９０２に示されるように、再順序付けが実施されてもよい。
【００９７】
図４１は、ある典型的な実施形態における、タイルビューで構成されたプレイリストの画面の具体例を示す図である。ある典型的な実施形態において、ＰＬＡＹＬＩＳＴ（プレイリスト）画面は、「ｎｅｗ  ＆  ｈｏｔ」や「ｇｅｎｒｅｓ」のセレクションにはないすべてのプレイリストを含んでいてもよい。プレイリストは、アーティスト、楽曲、および／または、アルバムのコレクションを含んでいてもよい。また、プレイリストは、関連付けされたタグ（例えば、新着、最新、スポンサー付、特集、または、その他のラベル）を有していてもよい。この具体例におけるプレイリストは、特集されたプレイリスト、異なる１０年間の楽曲を含んだプレイリスト、異なるジャンルの楽曲を含んだプレイリスト、および／または、これらと同様のプレイリストとは別のものである。ここには、ユーザによって開拓されたプレイリストも示されてよい。例えば、このようなプレイリストが、公のプレイリストとして指定されるためには、任意のスクリーニング工程における要件を満足すること、ポジティブな投票数をある程度獲得すること、および／または、これらと同様のことが必要である。プレイリストに関連付けされた作品は、音楽部門によって制御されてもよく、前記プレイリストに含まれている楽曲に関連している必要は必ずしもない。図４０の具体例において示す、ビルボードトップ１００のプレイリストは、Ｍｉｌｅｙ  Ｃｙｒｕｓの写真を含む。しかし、この写真は、（例えば、下記の図４１から理解されるであろうとおり、）アルバム作品とは関連性がなく、このプレイリストが選択されたときに示された画像とは異なるものである。
【００９８】
上で詳述されたとおり、プレイリストは、特定顧客向けに集められた楽曲の、ジュークボックスが設置されている現場以外の場所で開拓された集合であってもよい。ビルボードトップ１００のプレイリストは、容易に認識できるソースから生成される。一方、「Ｃｌａｓｓ  Ｃｏｕｎｔｒｙ  Ｓｏｎｇｓ」のプレイリストは、音楽部門によって開拓されてもよい。これに関連して、プレイリストの生成は、以下のような要因のいくつかに基づいていてもよい。要因とは、例えば、特定のジュークボックスにおける人気度、ネットワーク上のすべてのジュークボックスに亘っての人気度、レーベルによって販売促進のために取り上げられる楽曲、および／またはこれらと同様のものである。具体的には、「Ｒｉｎｇ  ｏｆ  Ｆｉｒｅ」や「Ｆｏｌｓｏｍ  Ｐｒｉｓｏｎ  Ｂｌｕｅｓ」などのＪｏｈｎｎｙ  Ｃａｓｈの古典的な楽曲は、ネットワーク上の人気度に基づいて、Ｐａｔｓｙ  Ｃｌｉｎｅの「Ｃｒａｚｙ」がそうであるように、このリストに提示されやすいであろう。テネシーの場所では、テネシーに関連がある古典カントリー楽曲（Ｏｓｂｏｒｎｅ  Ｂｒｏｔｈｅｒｓの演奏による「Ｒｏｃｋｙ  Ｔｏｐ」、Ａｌａｂａｍａの「Ｄｉｘｉｅｌａｎｄ  Ｄｅｌｉｇｈｔ」および「Ｔｅｎｎｅｓｓｅｅ  Ｒｉｖｅｒ」、および／または、これらのようなもの）の人気度が高いことが示される。さらに、「Ｃｏｕｎｔｒｙ  Ｒｏａｄｓ」および「Ｒｏｃｋｙ  Ｍｏｕｎｔａｉｎ  Ｈｉｇｈ」のようなＪｏｈｎ  Ｄｅｎｖｅｒの楽曲は、ブルーグラス音楽のトリビュートアルバムの特別なコンセンサスを促進する支援に含まれるかもしれない。
【００９９】
ある典型的な実施形態において、プレイリストに含まれるように選択される楽曲は、さまざまなカテゴリの楽曲が決められた割合で含まれるように選択されてもよい。具体的には、プレイリストの楽曲のＡ％は、ネットワーク上のジュークボックスの人気度に基づいていてもよく、前記プレイリストの楽曲のＢ％は、当該ジュークボックス内の人気度に基づいていてもよく、前記プレイリストの楽曲のＣ％は、レーベルまたは他の販売促進者によって「推された」ものであってもよい。Ａ％の楽曲は、流行し、ユーザが流行歌と認識するような楽曲になるであろう。Ｂ％の楽曲は、現場の全体的な印象を維持したり、独自のアイデンティティを保護したりするのに役立つかもしれない。そして、Ｃ％の楽曲は、ラジオで聴かれる可能性がある楽曲またはその他の「メディアチャンネル」で遭遇する可能性がある楽曲、もしくは、広告宣伝が実施される可能性がある楽曲に関連するかもしれない。ある典型的な実施形態において、自発プレイリストは、割合を定義する規則に基づいて、そのプレイリストに含められる少なくともＡ％とＣ％の楽曲に関する、中央サーバからの入力を伴って、ジュークボックスに分配されてもよい。Ｂ％の楽曲は、ローカルで選択されてもよい。あるいは、Ｂ％の楽曲は、局所的な分析結果を用いて、中央サーバなどによって提供されてもよい。このように、ある典型的な実施形態は、中央で編成された販売促進対象の楽曲と、ジュークボックスの配信ネットワークに亘って人気があるジャンルベースの楽曲と、プレイリストの属性（例えば、ジャンル、同アーティスト、同期間など）が合致する、ローカルの人気楽曲とを組み合わせるということが理解されるであろう。
【０１００】
具体的には、図４１の具体例の画面に示されるタイルベースビュー、および、図２６の具体例の画面における回転トレイの表示は、本質的に、外部の団体（例えば、）がプレイリストを生成し、そこに楽曲を集めることを可能にする、本開示に基づくシステムに対応している、ということが理解されるであろう。ある典型的な実施形態の機能性は、クラウドベースの音楽宣伝システムの実現によって、容易になる。当該システムにおいては、オペレータおよび／または現場の所有者がジュークボックスのプロフィールを選択することができ、そのプロフィールに基づいて、プレイリストに対する更新を受け取ることができる。ローカルおよび／または粗いデータ分析結果は、承認されたユーザからの、任意の主観的なフィードバックとともに、メディアのコレクションのタイルを配信することと、そのコレクションのコンテンツをカスタマイズすることとのために用いられてもよい。
【０１０１】
図面、とりわけ、図４１を再び参照すると、この画面において、追加のユーザインターフェース要素が提供される。この要素は、その他の画面においても同様に提供され得る。具体的には、水平のスクロールバー４１０２が示されている。ユーザは、これにより、表示されているリストにおける、現在位置を知ることができる。ドロップダウンリスト４１０４は、要素（例えば、本ケースにおいては、プレイリスト、および、ジャンルｏｎｌｙ表示、ｎｅｗ  ａｎｄ  ｈｏｔリスト、１０年間ごとの音楽などである）を、ソートしたり、あるいは、フィルタリングしたりするのに用いられてもよい。例えば、ここまたはその他の場所に対して適切な、ソートおよび／またはグルーピングの動作を実現するために、タイルは、そのタイルに関連付けられたメタタグを有していてもよい。制御要素４１０６は、グリッドビューと回転トレイビューとを切り換えるために用いられてもよい。
【０１０２】
ある典型的な実施形態において、垂直のスクロールバーが、例えば、図２６において示すような、メインの「ホームページ」以外のページごとに表示されてもよい。回転トレイビューにおいて、各項目はループしてもよいし、同様のループがグリッドビューにおいて生じてもよい。このようにスクロールバーは、ループ動作があるか否かに応じて、遠くの左端から遠くの右端へ、または、その逆にジャンプすることができる。
【０１０３】
図４２は、図４１からプレイリストが選択された場合に表示される画面の具体例を示す図である。さらに、とりわけ、図４２に示す具体例の画面は、ビルボードトップ１００のプレイリストのセレクションを反映している。見て分かるとおり、図４１と図４２との間で、Ｍｉｌｅｙ  Ｃｙｒｕｓの作品が不統一である。
【０１０４】
図４３は、図２２と同様の画面の具体例を示す図である。しかし、この画面は、Ｂｒｕｎｏ  Ｍａｒｓ向けの画面であり、彼のＤｏｏ−Ｗｏｐｓ  ＆  Ｈｏｏｌｉｇａｎｓのアルバムについてのアルバム作品を含んでいる。このアルバムが選択されると、図４４に示す具体例の画面が表示されてもよい。この具体的な画面は、図３９に関連して上で説明された内容と類似しているということが理解されるであろう。
【０１０５】
図４５は、ある典型的な実施形態における、「ｎｅｗ  ａｎｄ  ｈｏｔ」画面の具体例を示す図である。ある典型的な実施形態に係るｎｅｗ  ａｎｄ  ｈｏｔ画面は、プレイリストの別の集合であるとして考えられてもよい。しかしながら、前記画面は、「スーパーメタカテゴリ（ｓｕｐｅｒ  ｍｅｔａ  ｃａｔｅｇｏｒｙ）」であるとして考えられてもよい。スーパーメタカテゴリは、新着（ｎｅｗ）で最新の（ｈｏｔな）音楽コレクションに適した、タグ付けされたプレイリスト（例えば、業界が認識済みのチャート、ローカルジュークボックスの利用状況、ネットワーク上に亘っての楽曲再生などに基づいて、楽曲をグルーピングするのに最適なプレイリスト）を引いてくる。
【０１０６】
図４６および図４７は、ある典型的な実施形態における、ジャンルビューの画面の具体例を示す図である。ｐｌａｙｌｉｓｔ画面およびｎｅｗ  ａｎｄ  ｈｏｔ画面と同様に、ジャンル別のプレイリストが、回転トレイおよび／またはグリッドビューを介して選択可能に表示される。しかしながら、この特定の具体例においては、個々のタイルに表示されているテキストの行に関連して、１つの相違点がある。これに関連して、テキストの１行目は、楽曲が属しているジャンルのジャンル名を表す。一方、テキストの２行目は、（例えば、４つ以下のあらかじめ定義された文字数、例えば、４つ、および、名前がどれくらい長いのかに応じて、）最も有名なアーティスト、アルバム、および／または、これらの類のものを表す。そして、テキストの２行目は、例えば、「Ｆｅａｔｕｒｉｎｇ  アーティスト１  名前、アーティスト２  名前など」および／または、これらの類のようなテキストを表示する。これに代えて、あるいは、これに加えて、販売促進関連のタグ付けがされた楽曲、音楽部門による特集のタグ付けがされた楽曲などが、このテキストの２行目において特定されてもよい。タグは、新着、スポンサー付き、特集、最新、および／または、ここで示されたのと同様のその他の項目を表すのに用いられてもよい。ある典型的な実施形態において、ジャンルは、サブジャンルに分割されてもされなくてもよい。したがって、フィルターオプションは、表示されてもされなくてもよい。図４６は、回転トレイビューの具体例であり、図４７は、グリッドビューの具体例である。グリッドビューにおいては、ジャンル別プレイリスト内の特集されたコンテンツを表示するための２行目のテキストは、省スペースの目的のため、表示されない。
【０１０７】
表されているとおり、ある典型的な実施形態は、フォトブース機能を実現する。従来のフォトブースは、被写体を囲うスペースおよびシートの有利な点を有している。囲いが存在していること、および、被写体の位置が知られていることによって、従来のフォトブースの画像キャプチャアルゴリズムは、画像キャプチャおよび画像処理において、ある前提を有益なものにすることができる。具体的には、内部にフラッシュを備えた囲いブースのおかげで、露出が非常に予測しやすくなる。内部照明は、色空間を支配し、これによって、ホワイトバランスの補正が単純化される。さらに、フォトブースに物理的に取り付けられている、被写体のためのシートは、焦点面からの非常に狭い範囲の距離を制限すること、および、被写体の顔の位置を簡単に制限することに役立つ。これらの公知技術の多くは、ポートレート撮影における問題を解決するのに役立つ。
【０１０８】
従来のデジタルカメラおよび携帯電話は、露出、ホワイトバランス、焦点位置などを決定するための技術として、異なる技術を採用している。具体的には、必要に応じてまたは要望に応じて、撮影者に対しては、ビューファインダーを介して、焦点位置が提案されたり、フラッシュの使用が提案されたりする。撮影者次第では、しばしば、焦点位置が受け入れられたり、あるいは、その構図内の別の顔に焦点位置が再調整されたりする。各種設定が満足いく設定になると、撮影者は、シャッターボタンを押下したり、携帯電話のアプリケーションなどのキャプチャボタンをタッチしたりする。そして、今知られたプロパティに基づいて、写真が撮影される。
【０１０９】
機械駆動式で開かれた空間において行う写真撮影は、複雑で数々の課題が存在している。第１に、通常、自然光が支配しており、予測不可能な色温度を伴う環境をもたらす。第２に、人々は、グループ撮影における自身の位置を、カメラの焦点面から遠く離れた位置にもってくるかもしれないし、あるいは、特定の人を該焦点面の非常に近い位置にもってくるかもしれない。これらの２つの予測不可能な要素は、とりわけ、従来のフォトブースおよびデジタルカメラおよび携帯電話に照らして、適切な露出、色温度、および、焦点にて写真撮影することを非常に難しくしている。
【０１１０】
ある典型的な実施形態は、上述の課題を解決し、高品質の写真を撮影することを可能にするための助けとなる。ある典型的な実施形態において、ユーザは、写真撮影操作を開始するための画面をタッチする。そして、アルゴリズムが、その後の操作の実施を案内する。
【０１１１】
第１ステップにおいて、被写体が順光であるのか逆光であるのかが判断される。例えば、前景にある対象物の明度と、背景にある物の明度との相対的な比較によって、被写体から反射されている光と、背景の対象物から反射されている光と、どちらが多いのかを判断することができる。この判断結果は、各種パラメータを統制するに用いられてもよい。各種パラメータとは、例えば、被写体の画像を反映しているビューファインダーにおいて用いられるゲインの値、適用される任意のフラッシュの明度、および、後処理される、明度およびホワイトバランスの調整値などである。
【０１１２】
第２ステップにおいて、プログラムロジックが、被写体の可能性がある対象物の顔の位置を特定すること、および、その顔のスポット測光を実施することを支援する。
【０１１３】
第３ステップにおいて、測光された顔の明度に基づいて、先に決定されている照明状態（順光か逆光か）が、フラッシュとゲインとの最適化された組み合わせ値の計算において、用いられる。
【０１１４】
第４ステップにおいて、顔の位置に適するようにフラッシュ強度が高められ、焦点が所定時間（例えば、５〜１０フレーム、あるいは、約１０ｍｓ）ロックされる。そして、画像がキャプチャされる。
【０１１５】
第５ステップにおいて、自然光の状態およびキャプチャされた画像の出力明度に基づいて、最終的なホワイトバランスのカーブが、キャプチャされた画像の色補正に適用される。
【０１１６】
ある典型的な実施形態では、制御できない環境における自動化された写真撮影に適用されたソフトウェア処理に加えて、追加の技術を採用してもよい。追加の技術とは、非常に小さなＬＥＤライトを用いる場合であっても、ＬＥＤライトの過熱を引き起こすことなく、より大きな空間を照らすのに十分な強いフラッシュを生成するための技術である。ＬＥＤは、典型的には１７％の効率しかなく、一般的には、実質均一にかつ構図の外の領域にはみ出すことなく、被写体とおぼしき領域を照らすのに適した分光によって、視野に光を提供することができる適切な周辺機材が必要となる。画像のピントを合わせることが可能なレンズは、しばしば製造することが難しい。また、レンズによっては、光の処理能力が低減され得る。したがって、ある典型的な実施形態は、フラッシュとして機能する改善されたレンズ無しのＬＥＤライトを採用する。
【０１１７】
従来のＬＥＤのいくつかは、リンによる外部のコーティングを採用する。これにより黄色がかった画像が生成される。このような画像は、キャプチャされた画像において、芸術的観点から望まれない結果をもたらす。こうして、レンズ無しのＬＥＤライトを作るという計画において、見た目にかかる不利な点が明らかとなり得る。そうでなければ、とりわけ、光沢のある黒塗りのクリアなレンズの後ろにＬＥＤライトを配置することが望まれるであろう。したがって、明度を失うことなく、しかし、昼光においても、より自然なおよび／または黄色がかることがない色をもたらすように、ＬＥＤライトを隠すことが望まれるであろう。
【０１１８】
ある典型的な実施形態は、十分な内部反射性をもたらす角度バッフルにおけるＬＥＤライトの囲いの組み合わせを介して、この問題に対する解決を図り、その結果、光の分散を制御することを可能にする。上記バッフルは、透明なミラーフィルムの後ろに配置されてもよい。該フィルムは、ＬＥＤが消灯しているときは、光を装置の外部に反射させるが、ＬＥＤライトが点灯しているときは、効率的なフラッシュを提供する。
バッフルは、短い１００％のフラッシュサイクルおよび延長された４０％の照明サイクルの両方によってＬＥＤを冷やしておくのを十分可能にする機械的な放熱板でできていてもよい。例えば、前記バッフルは、長時間の動画キャプチャシーケンスにおいて、採用されてもよい。ある典型的な実施形態において、ミラーバッフルは、例えば、レンズ無しのＬＥＤフラッシュの環境下において、放熱板およびジュークボックスの保護用クリアコーティングと組み合わせて採用されてもよい。
【０１１９】
ある典型的な実施形態は、Ｌｅｏｐａｒｄ  ＬＩ−７２０ＵＳＢＡＦ−ＴＴカメラの変形バージョンを採用してもよい。該カメラは、制御の制限された集合を介して、ＵＳＢビデオ装置クラス（ＵＶＣ）インターフェースを介して制御され、カメラモードを設定したり、パラメータを演算したりする。以下の表は、順光および逆光のユースケースごとに、ハイライトおよびローライトのシナリオにおいて、最も有利な結果をもたらすカメラパラメータの一具体例を示す表である。さらに特別には、順光の暗い屋内のスチール写真／高品質の動画および低品質の動画のための全出力および低出力のフラッシュの設定、および、逆光の「昼光」でのスチール写真／高品質の動画および低品質の動画のための全出力および低出力のフラッシュの設定を前提として、最適化が実施される。ヘッダを除く太字体で示された値が、モード間で変化するパラメータを表す。
【０１２０】
【表１】
0006777545.tif 000002
【０１２１】
ゲイン、露出、および、逆光補正の選択に関して、順光の被写体は、典型的には、顔が露出オーバーになってしまうであろうことが知られている。これに対して、逆光の被写体は、典型的には、顔が露光不足になってしまうであろうことが知られている。しかしながら、（特に）顔が正しい露出になるように、調節がなされる。この調節は、順光のシーンのゲインを下げること、ならびに、逆光のシーンのゲインを上げることおよび逆光補正を用いることによって達成され得る。
【０１２２】
細部の精密さおよびシャープネスの設定を変化させたときの画像の質感を考慮することによって、シャープネスは主観的に決定された。撮影シーンが順光であるのか逆光であるのかを判断する際に、以下の式が採用されてもよい。
【０１２３】
【数１】
0006777545.tif 000003
【０１２４】
この判断は、アルゴリズムが顔を検出している間になされてもよい。このような感じで、アルゴリズムは、検出された顔領域のすべてを取得して、画像の中央に最も近い顔として、第１顔領域を選んでもよい。この特定された第１顔領域について、注目領域（ＲＯＩ；Region of Interest）におけるすべての画素の合計値として、明るさが算出される。この数値は、フレーム全体の明るさによって、正規化される。
【０１２５】
上で示唆したとおり、フラッシュについて２つの強度が用いられる。すなわち、全出力および低出力の２つである。全出力は、スチール撮影、および、高品質の動画シーンのときに、順光および逆光の両モードにおいて同じように採用され得る。低出力は、継続的に低品質な動画のときに、繰り返すが順光および逆光の両モードにおいて同じように採用され得る。このケースにおいて、全出力モードでは、フラッシュは、電流２５０ｍＡに、低出力モードでは、電流１００ｍＡに設定される。これらの設定は、画質と、熱の管理およびユーザの快適性とのバランスがとれるように選択された。
【０１２６】
当然のことながら、その他のＬＥＤライト／照明パッケージが採用されてもよく、それにしがって最適化が実施されてもよいことを理解されたい。
【０１２７】
ここで開示されたユーザインターフェースは、任意の適切なジュークボックス装置において採用され得る。そのユーザインターフェースの具体的なデザインは、参照によって本出願に組み込まれた、米国特許出願第２９／４７７，６５４号（２０１３年１２月２４日出願）において開示されている。図４８は、本具体例としてのジュークボックスの正面斜視図である。図４８の具体例としてのジュークボックスは、スタンドに取り付けられていてもよい（例えば、参照によって本出願にその全内容が組み込まれた米国特許出願第２９／４８５，９３３（２０１４年３月２５日出願）において開示されているタイプ）。ある典型的な実施形態において、本具体例におけるジュークボックスの角度をつけたデザインは、スタンドおよび支持構造にまで及んでもよいということを理解されたい。
【０１２８】
米国特許出願第２９／４７７，６５４号において示されている、ジュークボックスの上部筐体、下部筐体、正面部分（例えば、上部正面、下部正面など）、ＬＥＤライトおよび／またはＬＥＤ照明要素、カメラ、支払収集部、表示領域、フレーム（具体的には、上部筐体と下部筐体とを結合するジョイントフレーム、ディスプレイにおけるフレームなどを含む）、および／または、これらの類のものは、任意の組み合わせ、サブコンビネーション、および／または、任意のサブコンビネーションの組み合わせにおいて実現され得る。このような感じで、支払受付部は、払い戻しを行ってもよく、１つのタイプの２以上の支払受付部が提供されてもよいし、そこに、別のタイプの支払受付部が１つ備えられていてもよいし備えられていなくてもよい。あるいは、両方のタイプの１以上の支払受付部が提供されてもよい。さらに、ある典型的な実施形態において、少なくとも部分的に半透明のおよび／または少なくとも部分的に反射する表面がジュークボックス（例えば、筐体後方の、天面、底面、右側面、左側面など）に対して設けられてもよい。
【０１２９】
ＬＥＤ照明要素は、弱照明の期間に、人の関心を引くような、かつ、芸術的観点から魅力的な表示を行うために、ジュークボックスの外側周囲に設けられてもよい。しかしながら、ある典型的な実施形態において、自然光がより多く存在する場所では、芸術的観点から、反射する表面が望ましい。このような表面は、本質的には、両面鏡であろうことが理解される。例えば、ＬＥＤからの光は、（例えば夜の時間帯に）作動させることで見えるようになる。したがって、ジュークボックスは、日中または現場でライトの出力が上げられているときに、人目を惹きつけて魅力的なものになる。
【０１３０】
ある典型的な実施形態において、例えば、適正なインピーダンス、抵抗、電圧などが配線を通してもたらされているということを確実にするために、音声機材の配線によって、接続の電子的プロパティが監視されてもよい。このことは、オペレータおよび／または現場の作業員が、施設の音声システムの配線がうまくいっていないということを知るときの助けとなる。性能の観点から、ブザー音および／または破裂音などの出どころはより簡単に特定され、場合によっては原因の究明までも行われ得る。
【０１３１】
ある典型的な実施形態は、補助的な入力監視技術を組み込んでいてもよい。本出願には、例えば、米国公開公報第２０１３／０１７９９８０号の全内容が、参照により組み込まれるものとする。
【０１３２】
このような具体的なジュークボックスに関連して、取り外し可能な「コア部」が組み込まれていてもよい。ある実施例において、コア部は、すべてのまたは実質すべての制御電子部品および／またはコンポーネントを収容してもよい。制御電子部品および／またはコンポーネントとしては、例えば、マザーボード、音声ミキサー、増幅器、前置増幅器、プロセッサ、メモリ、ローカル楽曲のカタログを記憶している非一時的なコンピュータ読み取り可能な記録媒体（例えば、ハードディスクドライブ、ソリッドステートドライブ、フラッシュドライブ、および／または、そのような類のものなど）、ネットワークインターフェースカード、ディスプレイカードなどが含まれる。コア部は、電源、ドッキングアダプターなどに加えて、フラットパネルディスプレイ（例えば、ＬＣＤ、プラズマディスプレイ、および／または、そのような類のものなど）、タッチスクリーンなども含んでいてもよい。簡易に取り外し可能なコア部を提供することにより、ジュークボックスに問題（例えば、ＨＤＤ障害、ディスプレイの破損、データの改ざん、電源障害など）が生じた場合に、オペレータが、簡単に、ジュークボックスを開けたり、コア部を取り外したり、その場所に新しいコア部を取り付けたりすることが可能となる。ある典型的な実施例において、コア部は、約３０ポンド未満の重さであって、（例えば、サイズと形状とが適正に）特別に設計されているバックパック、キャリーケース、またはそれらに類するものに入れて、運べるようになっている。コア部が、製造業者に返送されると、可能であれば、製造業者は、それを開けて、必要な修理を行い、コア部を一新して、再び現場に送り返してもよい。
【０１３３】
取り外し可能なコア部の具体的な特徴は、図４９〜図５９に関連して説明されるであろう。これに関連して、図４９は、典型的な実施形態において、図４８に具体例として示されたジュークボックスにおいて採用された、外側を覆われたコア部の一具体例の正面図である。図４９は、メインディスプレイスクリーンおよびその周囲の幅の狭い表縁を示している。コア部は、ジュークボックスの筐体にフィットするように設計され、この典型的な実施形態は、設置のため、コア部をその場所に安全に固定するラッチのため、および、必要な電子的接続を行うための複数の特徴を含んでいる。
【０１３４】
図５０は、図４９に具体的に示されたコア部の底面図である。図５０は、ジュークボックスの筐体の内側に設けられるラッチに適合する、コア部内の穴または開口部を示している。図５０から理解されるとおり、（例えば、ディスプレイ、ネットワーク接続部、電源などを接続するための）複数のコネクタが設けられている。これらのコネクタのうちの少なくともいくつかは、「緩み」または「浮動性」を有している。これにより、コア部が、その場所にガイドされて接続された上で行われる再生、あるいは、その場所以外のところにガイドされて、各構成要素がはずされた上で行われる再生、というようにいくつかの再生が可能となる。
【０１３５】
図５１は、図４９に具体的に示されたコア部の右側面図である。図５２は、図５１を回転させた図である。左側面図は、実質、右側面図を鏡写しにした態様である。側面において、右−左位置合わせガイド（例えば、筐体における左から右への位置合わせを支援するガイドなど）が設けられてもよい。同様に、位置合わせガイドとして、天面固定用「キーホール」、および、底面固定用「キーホール」が設けられていてもよい。それぞれの側面に、スライド支援部材が設けられていてもよい。これにより、筐体における対応する特徴部分が、該支援部材にぴったりとはまり、筐体内にコア部を取り付けるための助けとなる。コア部が横桁またはコア部の構造部材の上に載置される場所も特定される。
【０１３６】
図５３は、図４９に具体的に示されたコア部を収容可能な、図４８に具体的に示されたジュークボックスの内部を示す正面斜視図である。筐体の上部および下部に、取り付け用金具が設けられていてもよい。これにより、天面スライドおよび底面スライドが、天面スライド支援部材および底面スライド支援部材内に受け入れられたとき、取り付け用金具は、コア部と筐体とを互いにしっかり留めるための、適切で強固な外部領域との接続をもたらす。コア部が載置される横桁部材がラッチとして示されている。ラッチポジションとアンラッチポジションとを調整するために、レバーが用いられてもよい。ラッチ最下部は、コア部を取り外すとき、載置位置外へコア部を押し出す（例えば、横桁部材から離す）ことを支援する。ガイドピンは、コア部が載置位置に一度基本的に載置されて、筐体にラッチされた後、さらに位置を微調整するのに役立つ。図５３は、正面から見て左側における、ヒンジがある配置を示す。
【０１３７】
図５４〜図５９は、ある典型的な実施形態における、レバーを用いて載置位置へラッチされたコア部を示す。これらの図は、底面支援部材の上を、位置合わせガイドに沿ってスライドするコア部も示している。このガイドによって、良好な電気的接続、電気機械の接続、および／または、その他の接続が形成される。さらに特定的には、図５４は、図５５および図５６において参照される切断線が付された、図４８に具体的に示されたジュークボックスの正面図である。図５５は、図４９に具体的に示されたコア部がジュークボックスの筐体に配置され、レバーがロックされていない状態または「コアアップ」ポジションにあるときの、図５４に示す切断線に基づいて切断されたジュークボックスの断面図である。図５６は、図４９に具体的に示されたコア部がジュークボックスの筐体に配置され、レバーがロックされた状態または「コアラッチ」ポジションにあるときの、図５４に示す切断線に基づいて切断されたジュークボックスの断面図である。図５７は、図５８および図５９において参照される切断線が付された、図４８に具体的に示されたジュークボックスの正面図である。図５８は、図４９に具体的に示されたコア部がジュークボックスの筐体に配置され、レバーがロックされていない状態または「コアアップ」ポジションにあるときの、図５７に示す切断線に基づいて切断されたジュークボックスの断面図である。図５９は、図４９に具体的に示されたコア部がジュークボックスの筐体に配置され、レバーがロックされた状態または「コアラッチ」ポジションにあるときの、図５７に示す切断線に基づいて切断されたジュークボックスの断面図である。
【０１３８】
コア部は密閉されているので、冷却は、例えば、ファン、放熱板、および／または、そのような類の外部通風手段を介して、コア部の外から行われてもよい。例えば、どの冷却手段を作動させるべきか、それらをいつ作動させるか／停止させるかを知るために、熱は、コア部の内部の位置またはコア部に最も近い位置の多数のさまざまな位置から取り除かれる。ある典型的な実施形態において、コア部の少なくともいくつかのコンポーネントおよび／またはコア部それ自体を冷却するために、ファントレイは、ジュークボックスの筐体の天面近くに配置されてもよい。図６０〜図６８に関連して、ファントレイのアセンブリの一具体例が示され、説明される。当然のことながら、ある典型的な実施形態において、ファントレイは、異なる他の実施形態（筐体の底面、横桁部材、ジュークボックスの破面などのコア部の後ろ、）において、再配置されてもよいということを理解されたい。ある典型的な実施形態において、複数のファントレイが上述の位置および／またはその他の具体例としての位置において用いられてもよいということを理解されたい。
【０１３９】
図６０は、典型的な実施形態における、図４８に具体的に示されたジュークボックスに関連して用いられ得るファントレイの正面斜視図である。図６１は、図６０に具体的に示されたファントレイにおける各要素の可動範囲を示す図である。図６２は、図６０に具体的に示されたファントレイの平面図であり、該ファントレイの電子ファン制御部を示す図である。これらの図面から見て理解されるとおり、小さなファン（例えば、８０ｍｍ）の位置が、トレイの旋回軸の前後において対向する端部の位置になるように、トレイは、固定されていてもよい。例えば、サーマルセンサからの入力に応じて、ファンをオン／オフしたり、回転させたりなどする小さい電子ファンの制御部は、トレイ内に配置されてもよい。これに関連して、図６３は、図６０に具体的に示されたファントレイの正面図である。図６３は、コア部内部に設けられた増幅器または増幅器に近い部分の温度を検出するように構成された小さなサーマルセンサを示す。図６４は、図６０に具体的に示されたファントレイの底面図である。図６４は、回転を生じさせる単一のマグネットが、ボックス内のファントレイの位置決めを行うのに用いられ得るということを示している。
【０１４０】
図６５〜図６８は、筐体に配置されたファントレイアセンブリを示す。つまり、図６５は、ジュークボックスの筐体に配置された、図６０に具体的に示されたファントレイの正面斜視図である。図６６は、図６７および図６８で参照される切断線が付された、図４８に具体的に示されたジュークボックスの正面図である。図６７は、Ａ−Ａ線に基づいて切断することにより得られた、図６６のジュークボックスの断面図である。図６８は、Ｃ−Ｃ線に基づいて切断することにより得られた、図６６のジュークボックスの断面図である。
【０１４１】
上に示すとおり、オペレータは、あらかじめ定義されたプロフィールのリストから、ジュークボックスについてのプロフィールを選択してもよい。こうすることにより、ジュークボックスが、特定のプレイリストまたはそれに類するものを取得できるようになる。プロフィールは、既存のプロフィールから、または、「スクラッチから」生成されてもよい。前者に関して、生成されるプロフィールに近い既存のプロフィールが、配置される。子供のプロフィールは、選択された親から生成される。例えば、名前、解説、基本設定などの基本情報が入力され、コピーすべきまたは引き継ぐべきタイルの集合およびプレイリストのカテゴリが指定される。後者に関して、例えば、上で特定されたようなタイプの基本情報が入力され、ホームの回転トレイおよびプレイリストグリッドに対応するタイルリストは、タイルで満たされる。公的なおよび／または私的なプロフィール名、解説、および／またはこれらに類するものが指定されてもよい。デフォルトの言語、発行条件の決定スキームなども同様に指定されてもよい。
【０１４２】
プロフィールは、タイルを追加することおよびタイルリストによって形成されてもよい。ある典型的な実施形態において、タイルは、４つのタイプ、すなわち、楽曲、アルバム、アーティストおよびプレイリストのうちの１つであってもよい。タイルは、検索されて、それから追加されてもよい。プロフィールを、例えば、通称、ＩＤまたはそれらに類するものに基づいて特定するために、クイック検索が採用されてもよい。アーティスト、楽曲、アルバム、プレイリスト、タイルなどに基づいて、さらに高度な検索が、同様に採用されてもよい。ある典型的な実施形態において、非タイル型検索結果について、タイル生成画面が表示されてもよい。そして、ユーザは、選択された検索された項目のまわりに特別なタイルを形成する機会を得てもよい。別の典型的な実施形態において、検索結果は、フィルタリング、並べ替え、および／または、検索などされてもよい。例えば、フィルタリングは、例えば、検索結果のジャンル、スタイル、ムード、テンポ、未成年に不適切な内容有り、編集済み、歌詞検閲済み、および／または、サブカテゴリなどのようなメタデータタグに基づいて実施されてもよい。ある典型的な実施形態において、例えば、アルバム、楽曲のコレクションなどのその他の要素をまとめたコレクションである要素は、展開されてもよい。別の典型的な実施形態において、任意の精度レベルにおける項目が、選択されてもよい。これに代えて、あるいは、これに加えて、例えば、上述したような具体的な検索技術および／またはその他のアプローチを用いて、タイルが形成されてもよい。つまり、タイルは、タイルまたはその他の項目などの選択された検索結果をモデルにした、「スクラッチから」形成されてもよい。検索結果および／またはその他の表示されたアーティスト、アルバム、楽曲、タイル、プロフィールなどは、以下の情報を含んでいてもよい。当該情報とは、例えば、名前／解説、アーティスト／タイプ、ステータス、（コレクションに該当するならば）コレクションの要素数、人気度のパーセンテージなどを含む。
【０１４３】
例えば、上で示されたとおり、さまざまなユースケースにおいて、タイルは静的であっても動的であってもよい。静的タイルは、常に、同じ内容を提示している。具体的には、タイルのタイプが楽曲である場合、タイルは常に同じ楽曲について提示することになる。反対に、動的タイルの内容は、時間が経てば変更されてもよい。したがって、動的タイルは、ユーザが指定した基準（例えば、所定期間の、地理上の区域における、与えられたタイプの要素のトップの数など）にしたがって、トップ音楽の強みを生成するのに有益となり得る。動的タイルの内容は、周期的におよび／または非周期的に（例えば、手動の更新に基づいて）刷新されるであろう。内容の刷新は、ジュークボックスにおいて実施されてもよいし、中央サーバにおいて実施されてもよいし、その他において実施されてもよい。タイルについての同一のまたは類似の基本情報が提供されてもよい。タイルの作品は、その内容に基づいて、ユーザによって提供された画像などに基づいて、生成されてもよい（作品は、アルバム作品に対応していても、していなくてもよい）。タイルは、指定のフォーマット（例えば、１画像表示、２×２画像表示など、カスタマイズ可能なテキスト情報ありまたはなし、など）にしたがって適切に配置されてもよい。
【０１４４】
プロフィールには、さまざまなステータスが割り当てられてもよい。ステータスの具体例としては、ドラフト、承認待ち、および、承認済み、公表済み、および／または、これらに類するものがある。ドラフトは、例えば、プロフィールが最初に生成されたとき、公表済みのプロフィールが更新されたときなどのステータスである。承認待ちは、例えば、承認のために提出はされたが、まだジュークボックスに公表される前のステータスなどである。承認済みは、例えば、中央の内容チェック機関によって受理されて、ジュークボックスに公表してもよいと承認を受けたステータスなどである。公表済みは、中央サーバおよび／またはジュークボックスにて任意の前のバージョンに対して更新が実施されたステータスなどである。
【０１４５】
ある典型的な実施形態において、プロフィールは、所定のスキーマに適合した構造化文書（例えば、ＸＭＬ（Extensible Markup Language）文書、ＪＳＯＮ（JavaScript（登録商標） Object Notation）文書など）として保存されてもよい。ある典型的な実施形態において、プロフィールは、データベースの項目（例えば、リレーショナルデータベースまたはその他のデータベースにおけるテーブルなどの類）として保存されてもよい。作りかけのプロフィールおよび承認済みプロフィールは、例えば、中央の記憶場所に保存され、プロフィールの受理を希望するジュークボックスに対して転送されてもよい。
【０１４６】
ある典型的な実施形態において、例えば、未成年に不適切な歌詞を含む楽曲をフィルタリングで除くため、編集済みの楽曲だけを含めるため、歌詞が検閲済みのコンテンツを含めるために、サブカタログがプロフィールから形成されてもよい。ジャンル、サブジャンル、ムード、スタイル、テンポ、年代などが、サブカタログの生成のために用いられてもよい。
【０１４７】
図６９は、典型的な実施形態において、新しいプロフィールを作成する際に用いられ得る、プロフィール詳細ページの具体例を示す図である。新しいプロフィールは、（例えば、ロックの中のサブプロフィールとしての古典ロック、ポップの中のサブプロフィールとしての「Ｂｏｙ  Ｂａｎｄｓ」などの）ジャンルのサブプロフィールとしてのテリトリーにおいて、「最上位階の」プロフィールとして作成され得る。左側に示されている階層ツリー構造は、いくつかのビューに亘って、表示され続けてもよい。例えば、これにより、ユーザは、プロフィール、タイル、プレイリスト、などの間をすばやくジャンプして辿り着くことができる。ある典型的な実施形態において、階層ツリー構造は、ドラッグアンドドロップ操作を支援してもよい。階層ツリー構造は、（少なくとも最初は）以下のようにして編集され得る。
【０１４８】
【数２】
0006777545.tif 000004
【０１４９】
タイルおよび／またはこれの類の順序付けは、図６９に示す具体的な画面を用いて指定されてもよい。これに代えて、あるいは、これに加えて、より人気のタイルが優先されるなど、ジュークボックス内での人気度が、この順序付けを制御してもよい。例えば、タイルのサブカテゴリなどについて、第１次ソート、第２次ソートなどが実施されてもよい。第１次リストのための順番は、第２次リストの一部またはすべてにおいて、必ずしも利用される必要はない。
【０１５０】
Ｐｒｏｆｉｌｅ  Ａｎａｌｙｔｉｃｓ（プロフィール分析）は、現在の週、および、先週またはそれ以上前の週についてのデータを含んでいてもよい。カラムの数は、そのプロフィールに適用されるジュークボックスの数を示している。％ＷｏＷの値は、そのプロフィールに適用されたジュークボックスのトータルの前週比を示している。％ＹｏＹの値は、昨年同週比に基づいて同様の前週比を示している。他で議論されるとおり、同様の情報が、タイル分析において提供されてもよい。
【０１５１】
図７０Ａは、ある典型的な実施形態において、プロフィールを作成するために用いられ得る画面の具体例を示す図である。この画面のフィールドの中には、親プロフィールからどのタイルリストをＩｎｈｅｒｉｔ（継承）およびＣｏｐｙ（複製）すべきかを指定するのに用いられ得る、一連のラジオボタンが含まれている。Ｃｏｐｙの挙動は、設定、値、内容、および／または、これらに類するものがコピーされることを指している。Ｃｏｐｙの結果、より大きい内容の項目（例えばタイルリスト）については、新しいインスタンスが生成され、単純な値は、単に複製されるだけである。子におけるパラメータの変更は、複製元の親に対して影響を与えない。Ｉｎｈｅｒｉｔの挙動は、設定、値、内容、および／または、これらに類するものが、親と子との間でリンクしていることを指している。Ｉｎｈｅｒｉｔの結果、子および親はともに、より大きい内容の項目（例えばタイルリスト）のインスタンスを用いる。そして、（例えば、親側において、）そのインスタンスに変更が生じたら、当該インスタンスにリンクされているすべてのプロフィールに対して、前記変更が適用される。単純なパラメータについては、継承される必要はないが、同期化が図られ、維持されてもよい。いずれにしても、ひとたびこれらの項目が選択されたならば、図６９に示す具体的な画面が表示される。例えば、継承されたタイルリストについて、タイルリストテーブル（下方の回転トレイのプレビューまたはグリッドビューのプレビュー）は、グレイアウトされて表示され得る。例えば、グレイアウトは、タイルリストテーブルは継承されるのであって、編集可能ではないということを明確に示すのに役立つ。複製されたタイルは、編集されてもよいし、あるいは、削除されてもよい。また、追加のタイルが追加されてもよいし、あちこち移動させてもよい。プロフィールが作成されると、作成されたプロフィールは、（例えば、オペレータ、現場のマネージャ、または、その他の権限を有する者の選択に基づいて）それを必要とするジュークボックスに対して転送されてもよい。図７０Ｂは、ある典型的な実施形態に関連して採用され得る、プロフィールヘッダフォーマットの具体例を示す表である。
【０１５２】
図６９に示す具体例のビューにおける左側の第２エリアによって、ユーザは、タイルに対して、作成、変更、削除、および／または、その他の操作を実施することができる。図７１Ａは、ある典型的な実施形態において用いられ得る、タイル作成画面の具体例を示す図である。例えば、アルバムに関連付けられる単一の画像として、楽曲のトップ４（あるいはその他の特定の数字）に関連付けられる作品として、タイルに関連付けられる画像が指定されてもよい。このようにして追加されたタイルは、（例えば、ドラッグアンドドロップの操作またはその他の操作によって）プロフィールに移動させられるようにしてもよい。Ｔｅｘｔ  Ｔａｋｅｏｖｅｒのフィールドは、「オン」のとき、いずれのテキストも画像上に配置されないということを示している。図７１Ｂは、ある典型的な実施形態に関連して採用され得る、タイル定義フォーマットの具体例を示す表である。図７１Ｃの（１）および（２）は、ある典型的な実施形態に関連して採用され得る、タイル定義フォーマットの他の具体例を示す表である。
【０１５３】
図７２は、図６９に示す画面における下段部分の領域の拡大図であり、プロフィールに追加されたタイルを示す図である。Ｄａｙ  Ｐａｒｔｓ（日分割）、期日の有効／無効、および／または、これらに類するものは、指定されてもよいし、および／または、デフォルトの値が適用されてもよい。Ｄａｙ  Ｐａｒｔｓは、例えば、１日のうちのいつにそのタイルが有効化されるのかということを示す。具体的には、クラシック音楽はブランチの時間帯、ポップ音楽は夕食の時間帯、ヒップホップは遅い夜の時間帯に再生するなどのように示される。図６９に示す回転トレイプレビューは、新しいタイルが追加されたことを示すために自動的に更新されてもよい。
【０１５４】
図７３Ａは、ある典型的な実施形態において、ユーザに提示され得る、プロフィール分析画面の具体例を示す図である。Ｔｏｐ  Ｐｌａｙｓ、検索されたアーティスト／楽曲、プロフィールを利用しているジュークボックス、硬貨の種類などについての分析結果を提供することに加えて、表示画面の下段部分における項目は、例えば、ドラッグアンドドロップまたはその他の操作を介して、新しいタイルを作成するために用いられてもよい。そこでは、具体例として示された画面の左側に向かって関連するドロップダウンが実施されることによって、各項目は、タイルなどに関連付けられる。
【０１５５】
提示された分析結果に関して、具体例として示された画面の底部の領域におけるトップタイルに関して、リストは、あらかじめ決定された、その時の上位（例えば、５つ）のタイルを、もっと見たい場合に左から右へ水平にスクロールする機能と併せて、表示してもよい。ユーザは、あらかじめ決定された数の追加されたタイル（例えば、上位２０個、上位５０個、上位１００個のタイル）をスクロールアップすることができる。ランクについて、重畳表示がなされてもよい。上位の楽曲、アルバム、アーティスト、および／または、それらに類するものに関しても、同様の表示が提供されてもよい。
【０１５６】
例えば、ロイヤリティ精算の目的で、ジュークボックス装置のフロントエンドインターフェースにて測定された再生データ、および、中央サーバにて統合された再生データから、さらなる評価指標が導出されてもよい。例えば、図７３Ａ（１）は、あるジュークボックスについて、Ｒｅｖｅｎｕｅ（収入）を日ごとにプロットしたものと、ネットワーク上でのその平均値をプロットしたものである。例えば、図７３Ａ（２）は、再生タイプ別（具体的には、Ｓｅａｒｃｈ（検索）、Ｇｅｎｒｅｓ（ジャンル）、ｎｅｗ  ａｎｄ  ｈｏｔ、Ｐｌａｙｌｉｓｔ（プレイリスト）、Ｈｏｍｅ（ホーム）画面のどれから選択されて再生されたのかの別）に、あるジュークボックスについて、Ｒｅｖｅｎｕｅ（収入）を日ごとにプロットしたものである。例えば、図７３Ａ（３）は、縦軸にて再生タイプ別にわけてＲｅｖｅｎｕｅ（収入）を表示し、横軸に沿ってプロフィール名を表示している。関連する部分についてのさらなる詳細情報を、領域上に重ねて提供してもよい。
【０１５７】
上述のＲｅｖｅｎｕｅ（収入）チャートと同様に、再生データチャート（例えば、一連の円グラフ）が表示されてもよい。具体的には、図７３Ａ（４）は、一連の円グラフであり、それぞれ、再生タイプ別、タイルタイプ別、再生操作元およびクレジット別、ならびに、支払いの再生タイプ別についての再生データを示す。パーセンテージも可視化されてもよい。再生に使用された装置についての情報も、同様に提供されてもよい。例えば、操作元ごとの再生および次を再生の操作のチャートなどが作成されてもよい。
【０１５８】
分析期間は変更されてもよい。例えば、１年間、１か月間、１週間、１日、存続期間、カスタム定義された期間、および／または、その他の期間を反映した分析であってもよい。ある典型的な実施形態において、テリトリーは、データ絞り込み操作の基礎を形成してもよい。このようにカスタム定義された期間は、あらかじめ決定された、最小期間であってもよいし、最大期間であってもよい。ここで議論された具体例において示されたチャートに代えて、あるいは、これらのチャートと併せて、その他のグラフ形式が用いられてもよいということを理解されたい。具体的には、線グラフよりもむしろ面形式が用いられてもよいし、面グラフはジュークボックス専用情報に関して用いられてもよいし、そして、線グラフはマクロ平均データに関して用いられてもよい。また、異なるタイプのデータが、共通のグラフに重畳されてもよい（例えば、積み重ね棒グラフが現場の数を表してもよいなど）ということを理解されたい。
【０１５９】
図７３Ｂは、ある典型的な実施形態において、ユーザに提示され得る、タイル分析一覧の具体例を示す図である。数字のカラムは、タイルの順位を表している。週間再生回数のカラム「Ｗｅｅｋｌｙ」は、単に、カウントされた再生回数を表している。「ＷｏＷ％」のカラムは、再生回数における前週比の変化率を表している。ネットワークおよびプロフィール人気度の測定値のカラム「Ｐｒｏｆｉｌｅ  Ｐｏｐｕｌａｒｉｔｙ」が提供されてもよい。ある典型的な実施形態において、ネットワーク人気度ランキングは、カタログに含まれる値であってもよい。カタログにおいて、各々の楽曲は、ネットワーク上での人気度を表す数字の値が関連付けられる。例えば、値は、すべてのジュークボックスについて同一であって、週ごとに変更されてもよい。
【０１６０】
図７４は、ある典型的な実施形態において、動的タイルを作成するために用いられ得る、タイル新規作成画面の具体例を示す図である。動的タイルは、（ジュークボックスにて）ローカルに作成されてもよいし、全体としてのネットワーク上に基づいて作成されてもよいし、あるいは、いくつかのやり方を組み合わせて作成されてもよい。タイル定義が設定される。これにより、複数のエントリーが可能となり、ユーザは、特定のグループ（本例ではジャンル）から、リストに含まれる多数の項目（本例では、３０個の項目）を選ぶことができる。したがって、ユーザは、指定したジャンル、プレイリスト、プロフィール、地域、ジュークボックスなどから、上位Ｘ曲の楽曲の動的リストを作成することができる。画像の配置は、画面左側の領域にて指定されてもよい。ある典型的な実施形態において、画像および／またはリストにおける作品が、どのくらいの頻度で更新されるのかを表す表示（１日１回、週１回、月１回など）が指定されてもよい。ここで記載された具体例としての技術が、例えば、異なるユースケースにおいて、静的および／または動的タイル、プレイリスト、プロフィール、および／または、それらと同等のものを生成するのに用いられてもよいということを理解されたい。
【０１６１】
タイル、プレイリスト、ジャンル、プロフィールなどに追加することが可能な楽曲、アーティスト、アルバムなどの配置決めの支援のために検索機能が利用されてもよい。上述の機能を実現するために、適応可能な検索技術、様々な順序並べ技術などが、例えば、上述したとおりに適用されてもよい。プレイリスト、タイル、プロフィール、および／または、これらと同類のものについて、例えば、これらを編集したり、これらの別のものまたは異なるタイプの要素を追加したりするために、同様の検索機能が実施されてもよい。
【０１６２】
完成したプロフィール、タイルなどは、ジュークボックスにて公開されるのに先立って、ドラフトとして保存されてもよいし、その他（ジュークボックスのプロバイダなど）によって承認されてもよい。図７５は、ある典型的な実施形態において用いられ得る、承認画面の具体例を示す図である。
【０１６３】
ある典型的な実施形態において、別の地域に対しては、翻訳が提供されてもよい。同様に、例えば、地域の標準の良識に適合するように、適切な言語でのテキストに基づくグラフィックが含まれるように、別の地域に対しては異なる画像が紐付けられていてもよい。
【０１６４】
上述した使用状況は一例として示したのであって、限定を加えるものではないことが理解できるであろう。本発明の異なる典型的な実施形態、実施例、および／または、本発明の使用との関連においては、他のフローチャートおよび使用状況も可能である。
【０１６５】
ある典型的な実施形態は、エンターテイメントセンターに関するものであって、ネットワーク通信可能なコンピュータを備え、前記コンピュータは、標準のアナログディスプレイ、デジタルディスプレイ、またはネットワークアドレスの指定が可能なディスプレイを介して、少なくとも１つのディスプレイとさらに接続されており、前記コンピュータは、前記コンピュータとやりとりする前記ネットワークの１つと接続された遠隔機器と通信するように動作可能であり、前記遠隔機器は、コードを受理し、前記コードを前記コンピュータに伝送するように動作可能であり、前記コンピュータは、データベースに対して又はアルゴリズムに対して、前記コードの有効性を検証可能であり、肯定的な有効性のもとで、前記コンピュータは金銭的価値又はクレジット価値を前記遠隔機器に割り当てるよう構成されている。前記遠隔機器は、前記コンピュータに含まれるコンテンツを閲覧するように動作可能であり、前記遠隔機器は、前記コンテンツを選択し、前記金銭的価値又はクレジット価値を用いて前記コンテンツに支払いをするようさらに動作可能であり、前記コンピュータは、前記遠隔機器による選択に基づいて、前記金銭的価値または前記クレジット価値を減少するよう動作可能である。前記コードは、代わりに又は加えて、前記遠隔機器に送信され、前記コンピュータに組み込まれる。
【０１６６】
ある実施形態は、少なくとも１つのインターネットベースのメッセージングシステムおよび／またはソーシャルネットワーキングサイトと連動し、少なくとも１つの遠隔機器と連動する宅外のエンターテイメントセンターに関するものであって、前記遠隔機器は、有線又は無線のローカルエリアネットワークによって又はインターネットを介して前記宅外のエンターテイメントセンターに接続されており、前記遠隔機器から前記エンターテイメントセンターのサービスのいくつかを使用することによって、前記エンターテイメントセンターは、前記メッセージを、前記少なくとも１つのインターネットベースのメッセージングシステムへ送信する。前記インターネットを介した当該システムへの接続は、当該エンターテイメントセンターを固有に識別する前記遠隔機器へコードを入力することをユーザに要求する。
【０１６７】
本開示は特定の用語を使ってきたが、これにより特定の実施形態、ハードウェアコンポーネントおよび構成、ソフトウェア構成などに本発明を限定するように解釈されない。例えば、多くの機能および例が、バー、パブ、またはその他の環境に存在することと関連して説明されてきたが、本発明の一実施形態に存在する機能は、ジュークボックス（または複数のジュークボックス）が置かれている任意の店舗における使用に対して適用可能であるということが理解される。同様に、「ユーザ」、「オーナー」、「オペレータ」、「顧客」などの使用によって参照しつつ、ある特徴および機能を説明してきたが、これらの用語は一般的であり、ほとんどの場合において、選択される実施形態および使用される機能に依存して、互いに置換可能に使用されるということが理解される。例えば、オーナーおよび／またはオペレータにとって、最初の楽曲の選択を限定することには利点があるが、ある実施形態において、顧客は最初の楽曲の選択において役割を果たす。「ディスプレイ」という用語には、例えばコンピュータに直接または遠隔に接続されたモニター、またはＩＰ・ＴＶ技術のような組み込みのＩＣが含まれるということが理解される。ディスプレイは、ネットワークアドレスの指定が可能であってよい。また、標準のデジタル符号（ＬＥＤベース）もディスプレイと考えられてよく、および／または、ネットワークアドレスの指定が可能なディスプレイとして提供される。
【０１６８】
ある典型的な実施形態は、家庭外の店舗と関連させて記述されてきたが、ここに記述された技術は、家庭内または個人用のジュークボックスの使用のために適用されてもよいということが理解される。
【０１６９】
さらに、実施形態が構成される１つの方法のみを表現するような、特定のハードウェアの組み合わせおよび構成が開示されている。ある実施形態において、機能するジュークボックスを可能にするのに不可欠なあらゆる種類のサービスを一貫して提供するために、中央サーバは、同時に又は分離して動作する１つまたは複数のサーバから構成される。例えば、サーバのクラスタは、メディア、他のトラッキングメンバーシップ、さらに他のライセンス処理などを提供する１つのサーバを備えた、仮想中央サーバを構成してもよい。
【０１７０】
同様に、ここで述べたローカルサーバは、ジュークボックスに組み込まれてよい。例えば、当該ローカルサーバは、たとえ、当該ジュークボックスにおける統合された大容量記憶装置の一部（例えばパーティション）として存在することになったとしても、独立して機能するように現れてもよい。実際には、ハードディスク容量が巨大かつ安価になるほど、それらはローカルサーバの機能を果たすことが望ましい。
【０１７１】
また、上述の説明において「楽曲」の用語をしばしば用いてきたが、この用語は本発明の技術的範囲を限定することを意図するものではなく、いかなるインスタンス又はメディアのインスタンス（例えば、楽曲、動画、楽曲／動画の組み合わせ、データ、情報など）がいかなる実施形態においても使用可能であり、本発明の技術的範囲に含まれる。
【０１７２】
最後に、ここで示したスクリーンショットおよびソフトウェア構成は、ここで開示された機能を体系付けて表示するための一方法に過ぎないということが理解される。他の構成は可能であり、したがってここで熟考された。
【０１７３】
本発明の望ましい形態は、ここで提示され、説明されてきたが、当業者の１人によって様々な変更および／または変形がなされ得ることは明らかである。したがって、ここでした特定の説明は一例を意味するに過ぎず、添付の請求項の用語を超えて本発明を限定する意図ではない。
【図１】
0006777545.tif 000005
【図２】
0006777545.tif 000006
【図３】
0006777545.tif 000007
【図４】
0006777545.tif 000008
【図５】
0006777545.tif 000009
【図６】
0006777545.tif 000010
【図７】
0006777545.tif 000011
【図８】
0006777545.tif 000012
【図９】
0006777545.tif 000013
【図１０】
0006777545.tif 000014
【図１１】
0006777545.tif 000015
【図１２】
0006777545.tif 000016
【図１３】
0006777545.tif 000017
【図１４】
0006777545.tif 000018
【図１５】
0006777545.tif 000019
【図１６】
0006777545.tif 000020
【図１７】
0006777545.tif 000021
【図１８】
0006777545.tif 000022
【図１９】
0006777545.tif 000023
【図２０】
0006777545.tif 000024
【図２１】
0006777545.tif 000025
【図２２】
0006777545.tif 000026
【図２３】
0006777545.tif 000027
【図２４】
0006777545.tif 000028
【図２５】
0006777545.tif 000029
【図２６】
0006777545.tif 000030
【図２７】
0006777545.tif 000031
【図２８】
0006777545.tif 000032
【図２９】
0006777545.tif 000033
【図３０】
0006777545.tif 000034
【図３１】
0006777545.tif 000035
【図３２】
0006777545.tif 000036
【図３３】
0006777545.tif 000037
【図３４】
0006777545.tif 000038
【図３５】
0006777545.tif 000039
【図３６】
0006777545.tif 000040
【図３７】
0006777545.tif 000041
【図３８】
0006777545.tif 000042
【図３９】
0006777545.tif 000043
【図４０】
0006777545.tif 000044
【図４１】
0006777545.tif 000045
【図４２】
0006777545.tif 000046
【図４３】
0006777545.tif 000047
【図４４】
0006777545.tif 000048
【図４５】
0006777545.tif 000049
【図４６】
0006777545.tif 000050
【図４７】
0006777545.tif 000051
【図４８】
0006777545.tif 000052
【図４９】
0006777545.tif 000053
【図５０】
0006777545.tif 000054
【図５１】
0006777545.tif 000055
【図５２】
0006777545.tif 000056
【図５３】
0006777545.tif 000057
【図５４】
0006777545.tif 000058
【図５５】
0006777545.tif 000059
【図５６】
0006777545.tif 000060
【図５７】
0006777545.tif 000061
【図５８】
0006777545.tif 000062
【図５９】
0006777545.tif 000063
【図６０】
0006777545.tif 000064
【図６１】
0006777545.tif 000065
【図６２】
0006777545.tif 000066
【図６３】
0006777545.tif 000067
【図６４】
0006777545.tif 000068
【図６５】
0006777545.tif 000069
【図６６】
0006777545.tif 000070
【図６７】
0006777545.tif 000071
【図６８】
0006777545.tif 000072
【図６９】
0006777545.tif 000073
【図７０Ａ】
0006777545.tif 000074
【図７０Ｂ】
0006777545.tif 000075
【図７１Ａ】
0006777545.tif 000076
【図７１Ｂ】
0006777545.tif 000077
【図７１Ｃ（１）】
0006777545.tif 000078
【図７１Ｃ（２）】
0006777545.tif 000079
【図７２】
0006777545.tif 000080
【図７３Ａ】
0006777545.tif 000081
【図７３Ａ（１）】
0006777545.tif 000082
【図７３Ａ（２）】
0006777545.tif 000083
【図７３Ａ（３）】
0006777545.tif 000084
【図７３Ａ（４）】
0006777545.tif 000085
【図７３Ｂ】
0006777545.tif 000086
【図７４】
0006777545.tif 000087
【図７５】
0006777545.tif 000088